(57)【要約】【課題】高品位な表示を行うことができる電気泳動表示装置の駆動方法を提供すること。【解決手段】電気泳動表示装置１５０は、画素電極２２と共通電極２３と電気泳動材料２４と蓄積容量素子２５とを有する。ＥＰＤ容量は蓄積容量よりも十分に小さい。電気泳動材料２４は第一粒子と第二粒子とを有する。第一粒子を共通電極の近傍に分布させる際に画素電極２２と共通電極２３との間に発生させる電界を、第一の方向を向いた強い第一強電界ＦＳＦと、第一強電界ＦＳＦよりも弱い第二弱電界ＳＷＦと、が共通電位周期Ｔcにて交互に繰り返す交番電界とする。こうすると、第一粒子と第二粒子とが効率的に分離されるので、コントラスト比が高く、高い画像品位を示す電気泳動表示装置１５０が実現される。【選択図】図５
2014157306.tif 000002
【特許請求の範囲】
【請求項１】
画素電極と、共通電極と、前記画素電極と前記共通電極との間に発生する電界が印加される電気泳動材料と、を有し、第一色と第二色とを少なくとも表示する電気泳動表示装置の駆動方法であって、
前記電気泳動材料は、前記第一色を呈した第一粒子と、前記第二色を呈した第二粒子と、を含み、前記第一粒子と前記第二粒子との少なくともいずれか一方は、正極性又は負極性に帯電しており、
前記第一粒子を前記共通電極側に分布させる際には、前記画素電極と前記共通電極との間に発生する電界は、第一の方向を向いた第一の電界と、前記第一の電界よりも弱い第二の電界と、が共通電位周期Ｔcにて交互に繰り返され、
前記第二粒子を前記共通電極側に分布させる際には、前記画素電極と前記共通電極との間に発生する電界は、前記第一の方向とは反対の第二の方向を向いた第三の電界と、前記第三の電界よりも弱い第四の電界と、が前記共通電位周期Ｔcにて繰り返され、
前記第一の電界と前記第二の電界と前記第三の電界と前記第四の電界とは、前記共通電極に前記共通電位周期Ｔcにて交番電位を供給して形成される事を特徴とする電気泳動表示装置の駆動方法。
【請求項２】
一枚のフレーム画像を形成する期間をフレーム周期ＴFとした際に、前記共通電位周期Ｔcは前記フレーム周期ＴFよりも短い事を特徴とする請求項１に記載の電気泳動表示装置の駆動方法。
【請求項３】
前記第二の電界の向きが前記第二の方向であり、前記第四の電界の向きが前記第一の方向である事を特徴とする請求項１又は２に記載の電気泳動表示装置の駆動方法。
【請求項４】
前記第二の電界の向きが前記第一の方向であり、前記第四の電界の向きが前記第二の方向である事を特徴とする請求項１又は２に記載の電気泳動表示装置の駆動方法。
【請求項５】
前記第一粒子は前記第二粒子よりも負極性に帯電しており、
前記第一粒子を前記共通電極の近傍に分布させる際には、前記画素電極には第一低電位Ｌ1が供給され、前記交番電位の中心電位を第一中間電位Ｍ1とし、前記交番電位の振幅を振幅ＶAとした際に、数式１の関係式を満たす事を特徴とする請求項３に記載の電気泳動表示装置の駆動方法。
【数１】
2014157306.tif 000096
【請求項６】
前記第一粒子は前記第二粒子よりも正極性に帯電しており、
前記第一粒子を前記共通電極の近傍に分布させる際には、前記画素電極には第一低電位Ｌ1が供給され、前記交番電位の中心電位を第一中間電位Ｍ1とし、前記交番電位の振幅を振幅ＶAとした際に、数式２の関係式を満たす事を特徴とする請求項３に記載の電気泳動表示装置の駆動方法。
【数２】
2014157306.tif 000097
【請求項７】
前記第一粒子は前記第二粒子よりも負極性に帯電しており、
前記第一粒子を前記共通電極の近傍に分布させる際には、前記画素電極には第一低電位Ｌ1が供給され、前記交番電位の中心電位を第一中間電位Ｍ1とし、前記交番電位の振幅を振幅ＶAとした際に、数式３の関係式を満たす事を特徴とする請求項４に記載の電気泳動表示装置の駆動方法。
【数３】
2014157306.tif 000098
【請求項８】
前記第一粒子は前記第二粒子よりも正極性に帯電しており、
前記第一粒子を前記共通電極の近傍に分布させる際には、前記画素電極には第一低電位Ｌ1が供給され、前記交番電位の中心電位を第一中間電位Ｍ1とし、前記交番電位の振幅を振幅ＶAとした際に、数式４の関係式を満たす事を特徴とする請求項４に記載の電気泳動表示装置の駆動方法。
【数４】
2014157306.tif 000099
【請求項９】
前記第二粒子を前記共通電極の近傍に分布させる際には、前記画素電極には第一高電位Ｈ1が供給され、前記交番電位の中心電位を第二中間電位Ｍ2とした際に、数式５の関係式を満たす事を特徴とする請求項５に記載の電気泳動表示装置の駆動方法。
【数５】
2014157306.tif 000100
【請求項１０】
前記第二粒子を前記共通電極の近傍に分布させる際には、前記画素電極には第一高電位Ｈ1が供給され、前記交番電位の中心電位を第二中間電位Ｍ2とした際に、数式６の関係式を満たす事を特徴とする請求項６に記載の電気泳動表示装置の駆動方法。
【数６】
2014157306.tif 000101
【請求項１１】
前記第二粒子を前記共通電極の近傍に分布させる際には、前記画素電極には第一高電位Ｈ1が供給され、前記交番電位の中心電位を第二中間電位Ｍ2とした際に、数式７の関係式を満たす事を特徴とする請求項７に記載の電気泳動表示装置の駆動方法。
【数７】
2014157306.tif 000102
【請求項１２】
前記第二粒子を前記共通電極の近傍に分布させる際には、前記画素電極には第一高電位Ｈ1が供給され、前記交番電位の中心電位を第二中間電位Ｍ2とした際に、数式８の関係式を満たす事を特徴とする請求項８に記載の電気泳動表示装置の駆動方法。
【数８】
2014157306.tif 000103
【請求項１３】
前記第一中間電位Ｍ1と前記第二中間電位Ｍ2とが等しい事を特徴とする請求項９乃至１２のいずれか一項に記載の電気泳動表示装置の駆動方法。
【請求項１４】
前記電気泳動表示装置は蓄積容量素子を有し、
前記蓄積容量素子は第一電極と第二電極とを有し、前記第一電極は前記画素電極に電気的に接続され、
前記画素電極と前記共通電極と前記電気泳動材料とで形成される容量（ＥＰＤ容量ＣE）は、前記蓄積容量素子の容量（蓄積容量ＣS）よりも十分に小さく、
前記第二電極の電位は固定されている事を特徴とする請求項１乃至１３のいずれか一項に記載の電気泳動表示装置の駆動方法。
【請求項１５】
請求項１乃至１４のいずれか一項に記載の駆動方法を行う事を特徴とする電気泳動表示装置の制御回路。
【請求項１６】
請求項１５に記載の制御回路を備えた事を特徴とする電気泳動表示装置。
【請求項１７】
請求項１６に記載の電気泳動表示装置を備えた事を特徴とする電子機器。
【発明の詳細な説明】
【技術分野】
【０００１】
本発明は、電気泳動表示装置の駆動方法、電気泳動表示装置の制御回路、電気泳動表示装置、及び電子機器に関する。
【背景技術】
【０００２】
電気泳動表示装置では、特許文献１に記載されている様に、電気泳動材料を挟んで対向する画素電極及び共通電極間に電圧を印加して、黒色帯電粒子や白色帯電粒子等の電気泳動粒子を移動させる事で表示部に画像を形成している。こうした電気泳動表示装置の駆動方法としては、一枚の画像を形成するのに複数個のフレーム期間を設け、各フレーム期間で共通電極には共通電位を供給し、画素電極には第１電位（ＶＨ）又は第１電位よりも低い第２電位（ＶＬ）を供給していた。この際に、一つのフレーム期間内では、共通電位は第３電位（ＶＨ）又は第３電位よりも低い第４電位（ＶＬ）に固定されていた。
【先行技術文献】
【特許文献】
【０００３】
【特許文献１】特開２００９−１７５４９２号公報
【発明の概要】
【発明が解決しようとする課題】
【０００４】
しかしながら、従来の電気泳動表示装置の駆動方法では、コントラスト比が低いという課題が有った。具体的に従来の電気泳動表示装置では、白表示を行う際の反射率（白反射率）が４２％程度で、黒表示を行う際の反射率（黒反射率）が７％程度で、その結果、白反射率と黒反射率との比であるコントラスト比は６程度と低かった。換言すると、従来の電気泳動表示装置の駆動方法では、コントラスト比が高く、高い画像品位を示す電気泳動表示装置を実現する事が困難であるという課題が有った。
【課題を解決するための手段】
【０００５】
本発明は、前述の課題の少なくとも一部を解決する為になされたものであり、以下の形態または適用例として実現することが可能である。
【０００６】
（適用例１）  本適用例に係わる電気泳動表示装置の駆動方法は、画素電極と、共通電極と、画素電極と共通電極との間に発生する電界が印加される電気泳動材料と、を有し、第一色と第二色とを少なくとも表示する電気泳動表示装置の駆動方法であって、電気泳動材料は、第一色を呈した第一粒子と、第二色を呈した第二粒子と、を含み、第一粒子と第二粒子との少なくともいずれか一方は、正極性又は負極性に帯電しており、第一粒子を共通電極側に分布させる際には、画素電極と共通電極との間に発生する電界は、第一の方向を向いた第一の電界と、第一の電界よりも弱い第二の電界と、が共通電位周期Ｔcにて交互に繰り返され、第二粒子を共通電極側に分布させる際には、画素電極と共通電極との間に発生する電界は、第一の方向とは反対の第二の方向を向いた第三の電界と、第三の電界よりも弱い第四の電界と、が共通電位周期Ｔcにて交互に繰り返され、第一の電界と第二の電界と第三の電界と第四の電界とは、共通電極に共通電位周期Ｔcにて交番電位を供給して形成される事を特徴とする。
この方法によれば、第一粒子と第二粒子とが効率的に分離されるので、コントラスト比が高く、高い画像品位を示す電気泳動表示装置を実現できる。
【０００７】
（適用例２）  上記適用例に係わる電気泳動表示装置の駆動方法において、一枚のフレーム画像を形成する期間をフレーム周期ＴFとした際に、共通電位周期Ｔcはフレーム周期ＴFよりも短い事が好ましい。
この方法によれば、第一粒子と第二粒子とが効率的に分離されるうえ、共通電位周期Ｔcが短い為に、画面のちらつき（フリッカー）が発生し難い。即ち、コントラスト比が高く、高品位な画像を表示する電気泳動表示装置を実現できる。
【０００８】
（適用例３）  上記適用例１又は２に係わる電気泳動表示装置の駆動方法において、第二の電界の向きが第二の方向であり、第四の電界の向きが第一の方向である事が好ましい。
この方法によれば、第一の電界の向きと第二の電界の向きとが反対になり、又、第三の電界の向きと第四の電界の向きとが反対になるので、第一粒子と第二粒子とを効率的に分離でき、コントラスト比が高く、高品位な画像を表示する電気泳動表示装置を実現できる。
【０００９】
（適用例４）  上記適用例１又は２に係わる電気泳動表示装置の駆動方法において、第二の電界の向きが第一の方向であり、第四の電界の向きが第二の方向である事が好ましい。
この方法によれば、第一の電界の向きと第二の電界の向きとが同じになり、又、第三の電界の向きと第四の電界の向きとが同じになる。従って、第一粒子を共通電極の近傍に分布させる際に画素電極と共通電極との間に発生させる電界の時間平均値が大きくなる。同様に、第二粒子を共通電極の近傍に分布させる際に画素電極と共通電極との間に発生させる電界の時間平均値が大きくなる。この為に、比較的低電圧で電気泳動表示装置を駆動しても、コントラスト比が高く、高品位な画像を表示する電気泳動表示装置を実現できる。
【００１０】
（適用例５）  上記適用例３に係わる電気泳動表示装置の駆動方法において、第一粒子は第二粒子よりも負極性に帯電しており、第一粒子を共通電極の近傍に分布させる際には、画素電極には第一低電位Ｌ1が供給され、交番電位の中心電位を第一中間電位Ｍ1とし、交番電位の振幅を振幅ＶAとした際に、数式１の関係式を満たす事が好ましい。
【数１】
2014157306.tif 000003
この方法によれば、より負極性に強く帯電した第一粒子を共通電極近傍に分布させる事ができる。従って、使用者が共通電極側から電気泳動表示装置を見れば、第一粒子が呈する第一の色を認識でき、画素電極側から電気泳動表示装置を見れば、第二粒子が呈する第二の色を認識できる。
【００１１】
（適用例６）  上記適用例３に係わる電気泳動表示装置の駆動方法において、第一粒子は第二粒子よりも正極性に帯電しており、第一粒子を共通電極の近傍に分布させる際には、画素電極には第一低電位Ｌ1が供給され、交番電位の中心電位を第一中間電位Ｍ1とし、交番電位の振幅を振幅ＶAとした際に、数式２の関係式を満たす事が好ましい。
【数２】
2014157306.tif 000004
この方法によれば、より正極性に強く帯電した第一粒子を共通電極近傍に分布させる事ができる。従って、使用者が共通電極側から電気泳動表示装置を見れば、第一粒子が呈する第一の色を認識でき、画素電極側から電気泳動表示装置を見れば、第二粒子が呈する第二の色を認識できる。
【００１２】
（適用例７）  上記適用例４に係わる電気泳動表示装置の駆動方法において、第一粒子は第二粒子よりも負極性に帯電しており、第一粒子を共通電極の近傍に分布させる際には、画素電極には第一低電位Ｌ1が供給され、交番電位の中心電位を第一中間電位Ｍ1とし、交番電位の振幅を振幅ＶAとした際に、数式３の関係式を満たす事が好ましい。
【数３】
2014157306.tif 000005
この方法によれば、より負極性に強く帯電した第一粒子を共通電極近傍に分布させる事ができる。従って、使用者が共通電極側から電気泳動表示装置を見れば、第一粒子が呈する第一の色を認識でき、画素電極側から電気泳動表示装置を見れば、第二粒子が呈する第二の色を認識できる。
【００１３】
（適用例８）  上記適用例４に係わる電気泳動表示装置の駆動方法において、第一粒子は第二粒子よりも正極性に帯電しており、第一粒子を共通電極の近傍に分布させる際には、画素電極には第一低電位Ｌ1が供給され、交番電位の中心電位を第一中間電位Ｍ1とし、交番電位の振幅を振幅ＶAとした際に、数式４の関係式を満たす事が好ましい。
【数４】
2014157306.tif 000006
この方法によれば、より正極性に強く帯電した第一粒子を共通電極近傍に分布させる事ができる。従って、使用者が共通電極側から電気泳動表示装置を見れば、第一粒子が呈する第一の色を認識でき、画素電極側から電気泳動表示装置を見れば、第二粒子が呈する第二の色を認識できる。
【００１４】
（適用例９）  上記適用例５に係わる電気泳動表示装置の駆動方法において、第二粒子を共通電極の近傍に分布させる際には、画素電極には第一高電位Ｈ1が供給され、交番電位の中心電位を第二中間電位Ｍ2とした際に、数式５の関係式を満たす事が好ましい。
【数５】
2014157306.tif 000007
この方法によれば、より負極性に強く帯電した第一粒子を画素電極近傍に分布させる事ができる。従って、使用者が共通電極側から電気泳動表示装置を見れば、第二粒子が呈する第二の色を認識でき、画素電極側から電気泳動表示装置を見れば、第一粒子が呈する第一の色を認識できる。
【００１５】
（適用例１０）  上記適用例６に係わる電気泳動表示装置の駆動方法において、第二粒子を共通電極の近傍に分布させる際には、画素電極には第一高電位Ｈ1が供給され、交番電位の中心電位を第二中間電位Ｍ2とした際に、数式６の関係式を満たす事が好ましい。
【数６】
2014157306.tif 000008
この方法によれば、より正極性に強く帯電した第一粒子を画素電極近傍に分布させる事ができる。従って、使用者が共通電極側から電気泳動表示装置を見れば、第二粒子が呈する第二の色を認識でき、画素電極側から電気泳動表示装置を見れば、第一粒子が呈する第一の色を認識できる。
【００１６】
（適用例１１）  上記適用例７に係わる電気泳動表示装置の駆動方法において、第二粒子を共通電極の近傍に分布させる際には、画素電極には第一高電位Ｈ1が供給され、交番電位の中心電位を第二中間電位Ｍ2とした際に、数式７の関係式を満たす事が好ましい。
【数７】
2014157306.tif 000009
この方法によれば、より負極性に強く帯電した第一粒子を画素電極近傍に分布させる事ができる。従って、使用者が共通電極側から電気泳動表示装置を見れば、第二粒子が呈する第二の色を認識でき、画素電極側から電気泳動表示装置を見れば、第一粒子が呈する第一の色を認識できる。
【００１７】
（適用例１２）  上記適用例８に係わる電気泳動表示装置の駆動方法において、第二粒子を共通電極の近傍に分布させる際には、画素電極には第一高電位Ｈ1が供給され、交番電位の中心電位を第二中間電位Ｍ2とした際に、数式８の関係式を満たす事が好ましい。
【数８】
2014157306.tif 000010
この方法によれば、より正極性に強く帯電した第一粒子を画素電極近傍に分布させる事ができる。従って、使用者が共通電極側から電気泳動表示装置を見れば、第二粒子が呈する第二の色を認識でき、画素電極側から電気泳動表示装置を見れば、第一粒子が呈する第一の色を認識できる。
【００１８】
（適用例１３）  上記適用例９乃至１２のいずれか一項に係わる電気泳動表示装置の駆動方法において、第一中間電位Ｍ1と第二中間電位Ｍ2とが等しい事が好ましい。
この方法によれば、一つのフレーム期間で（一つの画像表示で）画素毎に第一色又は第二色、更にはこれらの中間階調色を表示する事ができる。この駆動方法を応用すると、表示されている画像を書き換える際、画像が部分的にしか変化しない場合には、変化する部分に対応する画像を部分的に書き換える事もできる。
【００１９】
（適用例１４）  上記適用例１乃至１３のいずれか一項に係わる電気泳動表示装置の駆動方法において、電気泳動表示装置は蓄積容量素子を有し、蓄積容量素子は第一電極と第二電極とを有し、第一電極は画素電極に電気的に接続され、画素電極と共通電極と電気泳動材料とで形成される容量（ＥＰＤ容量ＣE）は、蓄積容量素子の容量（蓄積容量ＣS）よりも十分に小さく、第二電極の電位は固定されている事が好ましい。
この方法によれば、画素電極と共通電極との間に交番電界を発生させる事ができる。
【００２０】
（適用例１５）  上記適用例１乃至１４のいずれか一項に記載の駆動方法を行う事を特徴とする電気泳動表示装置の制御回路。
この構成によれば、コントラスト比が高い高品位な画像を電気光学装置に表示する制御回路を提供できる。
【００２１】
（適用例１６）  上記適用例１５に記載の制御回路を備えた事を特徴とする電気泳動表示装置。
この構成によれば、コントラスト比が高い高品位な画像を表示する電気光学装置を提供できる。
【００２２】
（適用例１７）  上記適用例１６に記載の電気泳動表示装置を備えた事を特徴とする電子機器。
この構成によれば、コントラスト比が高い高品位な画像を表示する電気光学装置を備えた電子機器を提供できる。
【図面の簡単な説明】
【００２３】
【図１】本発明における電子機器の斜視図。
【図２】実施形態１に係る電子機器を、機能ブロック毎に表したブロック図。
【図３】実施形態１に係わる回路ブロック構成図。
【図４】画素の断面構造を説明する図。
【図５】電気泳動表示装置の駆動方法の一例を説明した図。
【図６】電子ペーパーの構成を示す斜視図。
【図７】電子ノートの構成を示す斜視図。
【図８】実施形態２に係わる電気泳動表示装置の駆動方法を説明する図。
【図９】実施形態３に係わる電気泳動表示装置の駆動方法を説明する図。
【図１０】実施形態４に係わる電気泳動表示装置の駆動方法を説明する図。
【図１１】変形例１に係わる電気泳動表示装置の駆動方法を説明する図。
【図１２】変形例２に係わる電気泳動表示装置の駆動方法を説明する図。
【発明を実施するための形態】
【００２４】
以下、本発明の実施形態について、図面を参照して説明する。なお、以下の各図においては、各層や各部材を認識可能な程度の大きさにするため、各層や各部材の尺度を実際とは異ならせしめている。
【００２５】
（実施形態１）
「電子機器の概要」
先ず、実施形態１に係る電子機器の全体構成（概要）について、図１を参照して説明する。
【００２６】
図１は、本発明における電子機器の斜視図である。
本発明に係る電子機器１００は、電気泳動表示装置１５０（図２参照）と、電子機器１００を操作するためのインターフェイスとを備えている。インターフェイスとは、具体的には操作部１２０で、スイッチなどから構成される。電気泳動表示装置１５０は表示部１０を有するディスプレイモジュールである。表示部１０は複数の画素２０（図３参照）から成り、これらの画素２０が電気的に制御される事で表示部１０に画像が表示される。電気泳動表示装置１５０では、電気泳動材料２４（図３参照）を用いて表示がなされる。
【００２７】
「電子機器の基本構成」
図２は本実施形態に係る電子機器を、機能ブロック毎に表したブロック図である。
電子機器１００は、電気泳動表示装置１５０と操作部１２０とを有している。場合によっては更に画像信号供給回路１３０を電子機器１００が備えていても良い。操作部１２０はユーザーが電子機器１００を操作する部位である。電気泳動表示装置１５０は、表示部１０と制御回路１４０とを有している。更には、操作部１２０などを電気泳動表示装置１５０が備えていても良い。制御回路１４０は、好適例として、駆動回路７０と制御部６０と記憶部９０と画像信号処理部８０とフレームメモリー１１０とを含んで構成されている。駆動回路７０は走査線選択信号や画像信号等の各種信号を表示部１０に供給する。記憶部９０は表示部に表示するための画像データ等を記憶する。画像信号処理部８０は駆動回路７０に画像信号等の各種信号を供給する。制御部６０はこれらを制御する。尚、本実施形態に係わる電子機器の基本構成は、上述の構成に限定される物ではなく、本実施形態に係る駆動方法を実現可能な回路構成であれば良い。
【００２８】
制御部６０は、ＣＰＵ（Ｃｅｎｔｒａｌ  Ｐｒｏｃｅｓｓｉｎｇ  Ｕｎｉｔ）であり、各部の動作を制御する。また、制御部６０には記憶部９０が付随している。記憶部９０は、例えば、フラッシュメモリーなどの不揮発性記憶装置により構成されている。記憶部９０には表示部１０に表示する各種画像データや、電子機器１００の動作を定める各種プログラム或いはルックアップテーブル、などが記憶されている。これらのデータは、外部の画像信号供給回路１３０から入力され、必要に応じて入れ替えられる。尚、画像信号供給回路１３０は、主に入れ替えられるデータが画像信号で有る為に、この様に命名されているが、前述の各種プログラムやルックアップテーブル等も画像信号供給回路１３０を介して入れ替える事が可能である。画像信号供給回路１３０は、インターネットに接続するパーソナルコンピューターや携帯電話、或いはＵＳＢメモリーやＳＤカードなどに備えられ、新たなデータを電子機器１００に供給する。前述の如く、画像信号供給回路１３０を電子機器１００が備えており、電子機器１００単体でインターネットや携帯電話網などに接続する様にしても良い。
【００２９】
画像信号処理部８０は、フレームメモリー１１０を付随しており、記憶部９０から取り出した画像データに応じて画像信号を作製し、これを駆動回路７０に供給する。具体的には、フレームメモリー１１０に収納されている第一の画像（現在表示されている画像）に対応する画像信号と記憶部９０に収納されている第二の画像（次に表示される画像）のデータとから、画像信号処理部８０と制御部６０とが第二の画像に対応する画像信号を生成する。画像信号処理部８０は、こうして得られた画像信号を駆動回路７０に供給して第二の画像を表示部１０に表示する。尚、フレームメモリー１１０は、表示部１０の少なくとも１フレーム分以上の画像データを記憶可能なメモリー容量を備えたＶＲＡＭ（Ｖｉｄｅｏ  Ｒａｎｄｏｍ  Ａｃｃｅｓｓ  Ｍｅｍｏｒｙ）である。メモリー容量は２フレーム分以上有る事が望ましい。
【００３０】
操作部１２０は、複数の操作ボタン（図１参照）を含んで構成されており、当該操作ボタンによって、ユーザーは電子機器１００に、表示を切り換えるためのトリガー信号を与える。
【００３１】
図３（ａ）は本実施形態に係る電気泳動表示装置の表示部と駆動回路との構成を示す回路ブロック構成図であり、（ｂ）は画素の電気的な構成を示す等価回路図である。又、図４は画素の断面構造を説明する図である。次に、図３及び図４を用いて本実施形態に係る電気泳動表示装置の表示部と駆動回路との構成、及び断面構造とを説明する。
【００３２】
図３（ａ）に示されている様に、表示部１０には、ｍ行×ｎ列分の画素２０が行列状（二次元平面的）に配列されている。又、表示部１０には、ｍ本の走査線３０（即ち、走査線Ｙ１、Ｙ２、…、Ｙｍ）と、ｎ本のデータ線４０（即ち、データ線Ｘ１、Ｘ２、…、Ｘｎ）とが互いに交差するように設けられている。具体的には、ｍ本の走査線３０は行方向（即ち、Ｘ方向）に延在し、ｎ本のデータ線４０は列方向（即ち、Ｙ方向）に延在している。ｍ本の走査線３０とｎ本のデータ線４０との交差点に対応して画素２０が配置されている。
【００３３】
表示部１０には駆動回路７０が付属している。駆動回路７０は、コントローラー７１や走査線駆動回路７２、データ線駆動回路７３、共通電位供給回路７４などから構成されている。コントローラー７１は、走査線駆動回路７２とデータ線駆動回路７３、及び共通電位供給回路７４の動作を制御し、クロック信号やタイミング信号等の各種信号をこれらの各回路に供給する。
【００３４】
走査線駆動回路７２は、コントローラー７１から供給されるタイミング信号に基づいて、走査線Ｙ１、Ｙ２、…、Ｙｍの各々に走査信号をパルス的に順次供給する。データ線駆動回路７３は、コントローラー７１から供給されるタイミング信号に基づいて、データ線Ｘ１、Ｘ２、…、Ｘｎに画像信号を供給する。画像信号は、少なくとも第一高電位Ｈ1（例えば８Ｖ）と第一低電位Ｌ1（例えば０Ｖ）とを含み、これらの間で多値的な電位を取っても良い。この結果、各画素２０の画素電極２２には、表示される画像に応じた画素電位Ｖpxが供給される。詳細は後述するが、本実施形態では、一例として、第一色（例えば白）を表示する画素２０の画素電位Ｖpxは第一低電位Ｌ1となり、第二色（例えば黒）を表示する画素２０の画素電位Ｖpxは第一高電位Ｈ1となる。
【００３５】
共通電位供給回路７４は、共通電位線５０に共通電位Ｖcomを供給し、共通電位線５０は共通電極２３に電気的に接続する。従って、共通電位供給回路７４は共通電極２３に共通電位Ｖcomを供給する。共通電位Ｖcomは共通電位周期Ｔcを有する交番電位となり得る。各画素２０には更に固定電位線５５が配線され、固定電位線５５は蓄積容量素子２５の第二電極２５２に電気的に接続する。尚、コントローラー７１、走査線駆動回路７２、データ線駆動回路７３及び共通電位供給回路７４には、各種の信号が入出力されるが、本実施形態と特に関係のない物については説明を省略している。
【００３６】
図３（ｂ）の回路図と図４の断面図とに示される様に、画素２０は、画素スイッチング用トランジスター２１と、画素電極２２と、共通電極２３と、電気泳動材料２４と、蓄積容量素子２５とを備えている。電気泳動材料２４は画素電極２２と共通電極２３との間に配置され、画素電極２２と共通電極２３と電気泳動材料２４とで容量を形成する。この容量をＥＰＤ容量ＣEとする。この様にして、電気泳動材料２４には画素電極２２と共通電極２３との間に発生する電界が印加される。
【００３７】
画素スイッチング用トランジスター２１は、例えばＮ型トランジスターで構成されている。ここでは上ゲート型の薄膜トランジスターが採用されているが、下ゲート型の薄膜トランジスターで有っても構わない。画素スイッチング用トランジスター２１は、そのゲートが走査線３０に電気的に接続されており、そのソースがデータ線４０に電気的に接続されており、そのドレインが画素電極２２及び蓄積容量素子２５の一端に電気的に接続されている。画素スイッチング用トランジスター２１は、データ線駆動回路７３からデータ線４０を介して供給される画像信号を、走査線駆動回路７２から走査線３０を介してパルス的に供給される走査信号に応じたタイミングで、画素電極２２及び第一電極２５１に出力する。
【００３８】
蓄積容量素子２５は、誘電体膜を介して対向配置された一対の電極、即ち、第一電極２５１と第二電極２５２とを有する。第一電極２５１は、画素電極２２及び画素スイッチング用トランジスター２１に電気的に接続され、第二電極２５２は、前述の如く、固定電位線５５に電気的に接続されている。固定電位線５５には固定電位ＶF（例えば０Ｖ）が供給される。詳細は後述するが、蓄積容量素子２５の容量を蓄積容量ＣSとすると、ＥＰＤ容量ＣEは蓄積容量ＣSよりも十分に小さい。この結果、共通電位Ｖcomが交番電位となっても、画素電位Ｖpxは殆ど変動せず、蓄積容量素子２５によって画像信号を一定期間だけ維持する事が可能となる。
【００３９】
画素電極２２には、データ線駆動回路７３からデータ線４０及び画素スイッチング用トランジスター２１を介して、画像信号が供給される。図４に示す様に、画素電極２２は、電気泳動材料２４を介して共通電極２３と互いに対向するように配置されている。共通電極２３は、共通電位Ｖcomが供給される共通電位線５０に電気的に接続されている。共通電極２３は、画素電極２２が形成された基板に対向する基板に設けられ、電気泳動粒子は図４に示す断面図の上下方向で電気泳動する。尚、共通電極２３を画素電極２２が形成された基板に設けて、電気泳動粒子が図４の断面図の水平方向（図４の左右方向）に電気泳動する構成としても良い。
【００４０】
電気泳動材料２４は、第一色を呈した第一粒子と、第二色を呈した第二粒子と、を含んでいる。第一粒子と第二粒子とは電気泳動粒子と呼ばれ、これらの電気泳動粒子はマイクロカプセルや隔壁で区画された微小セル等に、分散液に分散された状態で、閉じ込められている。第一粒子と第二粒子との少なくともいずれか一方は、正極性又は負極性に帯電しており、画素電極２２と共通電極２３との間に発生する電界に応じて電気泳動を行う。本実施形態では、一例として、第一色を白色とし、第二色を黒色とし、第一粒子は第二粒子よりも負極性に帯電しているものとする。第一粒子の方が第二粒子よりも負極性に帯電しているとは、第一粒子が強く負極性に帯電すると共に第二粒子が弱く負極性に帯電する場合と、第一粒子が負極性に帯電すると共に第二粒子が中性である場合と、第一粒子が負極性に帯電すると共に第二粒子が正極性に帯電する場合と、第一粒子が中性であると共に第二粒子が正極性に帯電する場合と、第一粒子が弱く正極性に帯電すると共に第二粒子が強く正極性に帯電する場合と、の５つの場合のいずれかである事を意味する。
【００４１】
更に、電気泳動粒子の帯電が強いとは、分散液中で、ある電界強度下においてその電気泳動粒子がより早く電気泳動する事を意味する。反対に、電気泳動粒子の帯電が弱いとは、分散液中で、ある電界強度下においてその電気泳動粒子がより遅く電気泳動する事を意味する。その為、第一粒子と第二粒子が正極性同士もしくは負極性同士といった様に同極性であっても、帯電の強さが異なる事により電気泳動速度に差が生じ、電気泳動粒子の分布状態を変化させ、表示を変化させる事ができる。この帯電の強さは具体的な数値としては、例えばゼータ電位や電気泳動移動度という指標によって表される。ゼータ電位と電気泳動移動度とは、理論的には、比例関係にある。
【００４２】
本実施形態では、白色の第一粒子は負に帯電しており、黒色の第二粒子は正に帯電しており、使用者は共通電極２３側から表示を見るものとする。この場合、図４に示す様に、画素電極２２に第一低電位Ｌ1（例えばＬ1＝０Ｖ）を供給し、交番電位となる共通電位Ｖcomの中心電位を第一中間電位Ｍ1とし、第一中間電位Ｍ1を第一低電位Ｌ1よりも大きくすると（例えばＭ1＝７Ｖ）、正に帯電している黒色の第二粒子は画素電極２２の近くに引き寄せられ、負に帯電している白色の第一粒子は共通電極２３の近く引き寄せられる。従って電気泳動表示装置１５０を共通電極２３側から（図４の上方から）見ると、その画素２０は白表示している事になる。この様にして、電気泳動表示装置１５０は、第一色と第二色とを少なくとも表示する事が可能となる。尚、第一色と第二色とは白黒に限らず、色相環（ｃｏｌｏｒ  ｃｉｒｃｌｅ）で正反対に位置する関係の色（相補的な色）の組み合わせとしても良い。例えば赤色微粒子と緑色微粒子との組み合わせや、黄色微粒子と紫色微粒子との組み合わせ、青色微粒子と橙色微粒子との組み合わせ、等にしても良い。その他にも赤色と緑色と青色との加法混色の三原色から適当な二色を組み合わせにしても良いし、或いは、シアンとマゼンタとイエローとの減法混色の三原色から適当な二色を組み合わせにしても良いし、更にはこれらの六色から適当な二色を組み合わせても良い。又、電気泳動粒子はマイクロカプセルに閉じ込められる必要もなく、例えば、隔壁を設けてその内部に収納しても良い。
【００４３】
「電気泳動表示装置の駆動方法」
図５は電気泳動表示装置の駆動方法の一例を説明した図で、横軸は時間を表し、縦軸は電位を表している。以下、本実施形態に係る制御回路、及び電気泳動表示装置の駆動方法について説明する。
【００４４】
本実施形態では、第一画像で表示部１０の全面を第一色とし（第一色リセット）、その後に、第一画像に引き続く第二画像で第二色を表示する画素への書き込みを行う駆動方法を説明する。一例としては、第一画像では、表示部１０の全面が白表示の白リセットとなり、第二画像では、第一色表示画素での第一色表示の維持（白維持画素）と第二色表示画素での第二色への書き換え（黒書き換え画素）を行う駆動方法を説明する。図５には、共通電位Ｖcomと、第一色表示画素（白維持画素）の画素電位Ｖpx（Ｗ）と、第二色表示画素（黒書き換え画素）の画素電位Ｖpx（Ｂ）と、が描かれている。尚、第一画像が形成される期間が第一フレーム期間（１ｓｔ  Ｆｒａｍｅ）であり、第二画像が形成される期間が第二フレーム期間（２ｎｄ  Ｆｒａｍｅ）である。又、第一の方向を共通電極２３から画素電極２２を向いた方向（図５のＶpx（Ｗ）やＶpx（Ｂ）では下向き矢印で表示）とし、第一の方向とは反対の第二の方向を画素電極２２から共通電極２３を向いた方向（図５のＶpx（Ｗ）やＶpx（Ｂ）では上向き矢印で表示）としている。電界が第一の方向を向いている際に電界の向きを負とし、電界が第二の方向を向いている際に電界の向きを正とする。更に、図５で、電界の強さは矢印の長さで表されている。
【００４５】
第一色リセット時に、第一粒子を第二粒子よりも共通電極２３側（第一粒子を第二粒子よりも共通電極２３の近傍）に分布させるには、図５の第一フレーム期間（１ｓｔ  Ｆｒａｍｅ）のＶpx（Ｗ）やＶpx（Ｂ）に描かれている様に、画素電極２２と共通電極２３との間に発生する電界を、第一の方向を向いた強い第一の電界（以降、分かり易くする為に、この電界を第一強電界ＦＳＦと称する）と、第一強電界ＦＳＦよりも弱い第二の電界（以降、分かり易くする為に、この電界を第二弱電界ＳＷＦと称する）と、が共通電位周期Ｔcにて交互に繰り返される交番電界とする。同様に、第二画像の黒書き換え画素で、第二粒子を第一粒子よりも共通電極２３側（第二粒子を第一粒子よりも共通電極２３の近傍）に分布させるには、図５の第二フレーム期間（２ｎｄ  Ｆｒａｍｅ）のＶpx（Ｂ）に描かれている様に、画素電極２２と共通電極２３との間に発生する電界を、第一の方向とは反対の第二の方向を向いた強い第三の電界（以降、分かり易くする為に、この電界を第二強電界ＳＳＦと称する）と、第二強電界ＳＳＦよりも弱い第四の電界（以降、分かり易くする為に、この電界を第一弱電界ＦＷＦと称する）と、が共通電位周期Ｔcにて交互に繰り返される交番電界とする。
【００４６】
交番電界を構成する第一強電界ＦＳＦと第二弱電界ＳＷＦと、或いは、第二強電界ＳＳＦと第一弱電界ＦＷＦとは、第二電極２５２の電位を固定電位ＶF（例えば０Ｖ）とし、共通電位Ｖcomとして中心電位が第一中間電位Ｍ1又は第二中間電位Ｍ2で、振幅が振幅ＶAとした交番電位を供給して形成される。交番電位の周期は、共通電位周期Ｔcである。後に詳述する様に、各フレーム期間内で複数回の交番電界が電気泳動材料２４に印加されるので、電気泳動粒子は、フレーム期間よりも長い時間のオーダーでは、交番電界の平均電界に応じて電気泳動を行う。具体的には、電気泳動粒子は、共通電位Ｖcomの中心電位と画素電位Ｖpxとの電位差とで規定される電界に応じた電気泳動を行い、第一色や第二色の表示を行う事が可能になる。
【００４７】
第一粒子と第二粒子とはクーロン力やファンデルワールス力等で、互いにカップリングしがちであるが、電気泳動材料２４に交番電界を印加する事で、第一粒子と第二粒子とは効率的に分離される。本願発明者が鋭意研究したところに依ると、従来の電気泳動表示装置でコントラスト比が低かったのは、第一粒子と第二粒子との分離が不十分であった為である。これに対して、本実施形態では、交番電界で第一粒子と第二粒子との分離を促進するので、コントラスト比が高く、優れた画像品位を示す電気泳動表示装置が実現される。交番電界に依り電気泳動粒子は強い力を受けたり、弱い力を受けたり、或いは場合によっては弱い力が強い力と反対方向であったり、と揺動されるので、第一粒子と第二粒子との分離が促進されると考えられる。
【００４８】
交番電界を実現する為には、ＥＰＤ容量ＣEが蓄積容量ＣSよりも十分に小さい事が必要となる。図３（ｂ）に示す様に、ＥＰＤ容量ＣEと蓄積容量ＣSとは固定電位ＶFと共通電位Ｖcomとの間で直列に接続されている。時刻ｔ1における画素電位をＶpx1とし、共通電位をＶcom1とする。又、時刻ｔ2における画素電位をＶpx2とし、共通電位をＶcom2とする。電荷保存則よりこれらの電位の間には数式９で表される関係が成り立っている。
【００４９】
【数９】
2014157306.tif 000011
【００５０】
従って、ＥＰＤ容量ＣEが蓄積容量ＣSよりも十分に小さければ、共通電位Ｖcomが変動しても、画素電位Ｖpxは殆ど動かなくなる。こうして、共通電位Ｖcomが交番電位ならば、画素電極２２と共通電極２３との間に発生する電界も交番電界となる。具体的には、ＥＰＤ容量ＣEが蓄積容量ＣSの１０分の１以下であれば（ＣE／ＣS＜１／１０）、ＥＰＤ容量ＣEは蓄積容量ＣSよりも十分に小さいと言え、この場合、画素電位Ｖpxの変動は共通電位Ｖcomの変動の１０分の１以下となるので、交番電界が実現する。更に、より好ましくは、ＥＰＤ容量ＣEが蓄積容量ＣSの１００分の１以下であれば（ＣE／ＣS＜１／１００）、ＥＰＤ容量ＣEは蓄積容量ＣSよりも十分に小さいと言え、この場合、画素電位Ｖpxの変動は共通電位Ｖcomの変動の１００分の１以下となるので、交番電界が実現する。本実施形態では、画素電極２２の面積（ＥＰＤ容量ＣEで用いられる面積）と蓄積容量素子２５の面積（蓄積容量ＣSで用いられる面積）とが同程度であり、画素電極２２と共通電極２３との間の距離（セルギャップ）が５０マイクロメーター（μｍ）程度であり、第一電極２５１と第二電極２５２との間の距離（蓄積容量素子２５の誘電体膜の厚み）が０．１マイクロメーター（μｍ）程度であり、電気泳動材料２４の比誘電率が５程度であり、蓄積容量素子２５の誘電体膜（酸化珪素膜）の比誘電率が３．９であるので、ＥＰＤ容量ＣEの蓄積容量ＣSに対する比（ＣE／ＣS）は１／５００程度に小さくなる。この為、数式９に則り、共通電位Ｖcomが振幅ＶAで振動しても、画素電位Ｖpxの変動はＶA／５００程度と小さく、交番電界が実現する。
【００５１】
次に、交番電界の周期（共通電位周期Ｔc）に関して説明する。図５に示す様に、一枚のフレーム画像を形成する期間をフレーム周期ＴFとした際に、共通電位周期Ｔcはフレーム周期ＴFよりも短い事が好ましい。電気泳動表示装置１５０のフレーム周期ＴFは３０ミリ秒（３０ｍｓ）程度から１秒（１ｓ）程度であり、このフレーム周期ＴFに応じて、電気泳動材料２４の応答時間はフレーム周期よりも短い１０ミリ秒（ｍｓ）程度から５００ミリ秒（ｍｓ）程度である。大雑把に言って、フレーム周期ＴFの１／５から１倍程度が電気泳動材料２４の応答時間になる様に設計される。電気泳動材料２４の応答時間とは、電気泳動材料２４に駆動時の電界を印加した場合に、電気泳動粒子が画素電極２２と共通電極２３との間を移動するのに費やす時間である。
【００５２】
交番電界を電気泳動材料２４に印加する目的は、第一粒子と第二粒子との分離を促進する事である。もし第一粒子と第二粒子とが交番電界により画素電極２２と共通電極２３との間を実際に移動してしまうと、画面のちらつき（フリッカー）が発生する恐れがある。又、第一色の表示と第二色の表示とを使用者は時分割で目にすることになるので、第一色と第二色が混じり合う様に感じ、コントラスト比が低下する様に感じられてしまう。こうした理由により、共通電位周期Ｔcは、第一粒子と第二粒子とが交番電界により分離は促進されるものの、画素電極２２と共通電極２３との間を移動し得ない周期とするのが好ましい。一方、共通電位周期Ｔcが余りにも短いと第一粒子と第二粒子とは分離され難くなるので、共通電位周期Ｔcは、電気泳動材料２４の応答時間の１／１０程度から１倍程度の範囲に入る様にするのが好ましい。こうすると、第一強電界ＦＳＦが第二弱電界ＳＷＦよりも強く、第二強電界ＳＳＦが第一弱電界ＦＷＦよりも強いので、第一粒子と第二粒子との移動距離は最大でも画素電極２２と共通電極２３との間の距離の１／１０程度から１倍程度となり、画面のちらつき（フリッカー）は抑制される。先に述べた様に、電気泳動材料２４の応答時間はフレーム周期ＴFの１／５から１倍程度であるので、共通電位周期Ｔcは、フレーム周期ＴFの１／５０から１倍程度とされるのが好ましい。言い換えると、１フレーム期間ＴFの間に１回程度から５０回程度の交番電界が電気泳動材料２４に印加される様にすると、フリッカーが抑制され、コントラスト比も高い高品位な画像が表示される事になる。
【００５３】
本実施形態では、表示部１０のサイズは１５．２４ｃｍ×１１．４３ｃｍで、画素数は２４００（データ線４０の数ｎ）×１８００（走査線３０の数ｍ）で、解像度は４００ドットパーインチ（ｄｐｉ）である。データ線駆動回路７３では、一つの選択信号で８本のデータ線４０に画像信号を導入する８相展開駆動が採用されている。一つの画素２０当たりの選択時間は１マイクロ秒（μｓ）とされており、従って、水平走査期間は３００マイクロ秒（μｓ）、フレーム周期ＴFは０．５４秒（ｓ）である。図５に示す様に、電気泳動材料２４には、１フレーム期間ＴFに５回の交番電界が印加されているので、本実施形態で、共通電位周期Ｔcは１０８ミリ秒（１０８ｍｓ）である。尚、電気泳動材料２４の応答時間は３００ミリ秒（ｍｓ）程度であるので、共通電位周期Ｔcは電気泳動材料２４の応答時間の０．３６倍とされている。後述する様に、第二弱電界ＳＷＦの向きは第一強電界ＦＳＦの向きの反対で、その強さは、第一強電界ＦＳＦの強さの１／８であるので、電気泳動粒子が交番電界により、表示すべき方向と反対方向に移動する距離は、画素電極２２と共通電極２３との間の距離の４．５％（＝０．３６×１／８、本実施形態の場合、２．２５マイクロメーター（μｍ））程度となる。従って、フリッカーが発生する事もなく、第一粒子と第二粒子とは効率的に分離される。即ち、コントラスト比が高く、高品位な画像を表示する電気泳動表示装置１５０が実現される。
【００５４】
この様に、共通電位周期Ｔcの整数倍がフレーム期間ＴFとされ、１フレーム期間ＴFにｋ回（ｋは１以上の整数）の交番電界が電気泳動材料２４に印加される。更に、走査線３０の数ｍは交番電界の回数ｋの２倍の値（２ｋ）の整数倍となっている事が好ましい。本実施形態では走査線３０の数ｍは１８００で、ｋ＝５であるので、走査線３０が１８０本毎に交番電界は正負の方向を反転させる事になる。交番電界の回数ｋはフレーム期間ＴFを共通電位周期Ｔcにて除した値であるので（ｋ＝ＴF／Ｔc）、走査線３０の数ｍとフレーム期間ＴFと共通電位周期Ｔcとは、言い換えると、数式１０で表される関係が成り立つ事が好ましい。
【００５５】
【数１０】
2014157306.tif 000012
【００５６】
ここでＩは整数値である。数式１０は走査線３０の数ｍが交番電界の回数ｋの２倍の値（２ｋ）で割り切れる事を意味している。その為に、任意の走査線３０を選択している期間に共通電位Ｖcomが正負に入れ替わる事はない。即ち、数式１０の関係を満たしていると、共通電位Ｖcomが正負に入れ替わるタイミングは、走査線３０の選択を切り替えるタイミングに同期する様になる。画素２０に画像信号を書き換えている間に共通電位Ｖcomの正負が入れ替わると、正しい画像表示を行えなくなる恐れがある。即ち、表示される画像に、共通電位Ｖcomの正負が入れ替わった走査線３０に対応する横線が視認される恐れがある。これに対して、上述の様に数式１０の関係を満たせば、共通電位Ｖcomの正負に入れ替わる事が、画素２０に画像信号を書き換える事に影響しないので、画像に横線が発生すると言った不具合は発生せず、而も第一粒子と第二粒子とが効率的に分離されるので、高品位な画像が表示される事になる。
【００５７】
「電位関係」
次に、共通電位Ｖcomや画素電位Ｖpxの関係を、図５を参照して説明する。尚、説明を分かり易くする為に、図５には各種電位の一例を具体的な数値で記載してあるが、以下に説明する電位関係が満たされれば、無論、他の数値の電位であっても構わない。
【００５８】
（１）第一粒子の方が第二粒子よりも負極性に帯電している場合
先にも述べた様に、本実施形態では、第一粒子が第二粒子よりも負極性に帯電している場合の電位関係を説明する。
【００５９】
（１−０）設定パラメーター
第一画像形成時（第一フレーム期間（１ｓｔ  Ｆｒａｍｅ））に第一色（白）を表示する画素２０の画素電極２２に印加される低電位を第一低電位Ｌ1と称する。又、第二画像形成時（第二フレーム期間（２ｎｄ  Ｆｒａｍｅ））に第二色（黒）を表示する画素２０の画素電極２２に印加される高電位を第一高電位Ｈ1と称す。更に、第一画像形成時（第一フレーム期間（１ｓｔ  Ｆｒａｍｅ））における共通電位Ｖcomの中心値を第一中間電位Ｍ1と称する。同様に、第二画像形成時（第二フレーム期間（２ｎｄ  Ｆｒａｍｅ））における共通電位Ｖcomの中心値を第二中間電位Ｍ2と称する。共通電位Ｖcomの振幅の絶対値を振幅ＶAと称する。電気泳動表示装置１５０に正しく画像を表示する為に設定せねばならない電位は第一低電位Ｌ1と第一高電位Ｈ1と第一中間電位Ｍ1と第二中間電位Ｍ2と振幅ＶAの五つで、これらを設定パラメーターと称する。尚、本実施形態では、ＶHという電位がＶLという電位より高電位とは、ＶHがＶLよりも正の方向に大きい事を意味する。即ち、高電位とは正の方向に大きい値の電位を意味し、低電位とは負の方向に大きい値の電位を意味する。
【００６０】
（１−１）定義式
第一画像形成時（第一フレーム期間（１ｓｔ  Ｆｒａｍｅ））に共通電位Ｖcomの最低値を第二低電位Ｌ2と称す。第二低電位Ｌ2は数式１１で表される。
【００６１】
【数１１】
2014157306.tif 000013
【００６２】
第一画像形成時（第一フレーム期間（１ｓｔ  Ｆｒａｍｅ））の共通電位Ｖcomの最高値を第二高電位Ｈ2と称す。第二高電位Ｈ2は数式１２で表される。
【００６３】
【数１２】
2014157306.tif 000014
【００６４】
第二画像形成時（第二フレーム期間（２ｎｄ  Ｆｒａｍｅ））の共通電位Ｖcomの最低値を第三低電位Ｌ3と称す。第三低電位Ｌ3は数式１３で表される。
【００６５】
【数１３】
2014157306.tif 000015
【００６６】
第二画像形成時（第二フレーム期間（２ｎｄ  Ｆｒａｍｅ））に共通電位Ｖcomの最高値を第三高電位Ｈ3と称す。第三高電位Ｈ3は数式１４で表される。
【００６７】
【数１４】
2014157306.tif 000016
【００６８】
（１−２）第一画像形成時（第一フレーム期間（１ｓｔ  Ｆｒａｍｅ））の白書き込み条件
まず、画素電極２２と共通電極２３との距離をｄとする。第一強電界ＦＳＦは第一の方向（下向き）を向き、第一強電界ＦＳＦの向きを負とすると、第一強電界ＦＳＦは数式１５にて表される。
【００６９】
【数１５】
2014157306.tif 000017
【００７０】
（１−２−１）第二弱電界ＳＷＦの方向（上向き）が第一の方向（下向き）の反対となる場合
第二弱電界ＳＷＦの向きが第二の方向であると、第一強電界ＦＳＦの向きと第二弱電界ＳＷＦの向きとが反対になり、第一粒子と第二粒子とが効率的に分離されるので、コントラスト比が高く、高品位な画像を表示する電気泳動表示装置１５０を実現できる。この場合、第二弱電界ＳＷＦは正でなければならず、第二弱電界ＳＷＦは数式１６にて表される。
【００７１】
【数１６】
2014157306.tif 000018
【００７２】
数式１５と数式１６とから設定パラメーターが満たさねばならない関係式として数式１７が得られる。
【００７３】
【数１７】
2014157306.tif 000019
【００７４】
又、第二弱電界ＳＷＦが第一強電界ＦＳＦよりも弱い条件は数式１８と表される。
【００７５】
【数１８】
2014157306.tif 000020
【００７６】
数式１８から設定パラメーターが満たさねばならない関係式として数式１９が得られる。
【００７７】
【数１９】
2014157306.tif 000021
【００７８】
数式１７と数式１９とから設定パラメーターが満たさねばならない関係式として数式２０が得られる。数式２０が、第二弱電界ＳＷＦの方向（上向き）が第一の方向（下向き）の反対となる場合での、第一粒子を共通電極２３の近傍に分布させる為の（白表示を行う為の）必要条件となる。
【００７９】
【数２０】
2014157306.tif 000022
【００８０】
こうして、より負極性に強く帯電した第一粒子を共通電極２３近傍に分布させるか、或いは、第二粒子を画素電極２２近傍に分布させる事ができる。従って、使用者が共通電極２３側から電気泳動表示装置１５０を見れば、第一粒子が呈する第一の色を認識でき、画素電極２２側から電気泳動表示装置１５０を見れば、第二粒子が呈する第二の色を認識できる。
【００８１】
（１−２−２）第二弱電界ＳＷＦの方向（下向き）が第一の方向（下向き）と同じとなる場合
第二弱電界ＳＷＦの向きが第一の方向であると、第一強電界ＦＳＦの向きと第二弱電界ＳＷＦの向きとが同じになり、第一粒子を共通電極２３の近傍に分布させる際に画素電極２２と共通電極２３との間に発生させる電界の時間平均値が大きくなる。この為に、比較的低電圧で電気泳動表示装置１５０を駆動しても、コントラスト比が高く、高品位な画像を表示する電気泳動表示装置１５０を実現できる。この場合、第二弱電界ＳＷＦは負でなければならず、数式２１にて表される。
【００８２】
【数２１】
2014157306.tif 000023
【００８３】
数式１５と数式２１とから設定パラメーターが満たさねばならない関係式として数式２２が得られる。
【００８４】
【数２２】
2014157306.tif 000024
【００８５】
又、第二弱電界ＳＷＦが第一強電界ＦＳＦよりも弱い条件は数式２３と表される。
【００８６】
【数２３】
2014157306.tif 000025
【００８７】
数式２３から設定パラメーターが満たさねばならない関係式として数式２４が得られる。
【００８８】
【数２４】
2014157306.tif 000026
【００８９】
振幅ＶAはその定義からして、必ず正であるので、数式２４はいつでも自動的に満たされる。数式２２と数式２４とから設定パラメーターが満たさねばならない関係式として数式２５が得られる。数式２５が、第二弱電界ＳＷＦの方向（下向き）が第一の方向（下向き）と同じとなる場合での、第一粒子を共通電極２３の近傍に分布させる為の（白表示を行う為の）必要条件となる。
【００９０】
【数２５】
2014157306.tif 000027
【００９１】
こうして、より負極性に強く帯電した第一粒子を共通電極２３近傍に分布させるか、或いは、第二粒子を画素電極２２近傍に分布させる事ができる。従って、使用者が共通電極２３側から電気泳動表示装置１５０を見れば、第一粒子が呈する第一の色を認識でき、画素電極２２側から電気泳動表示装置１５０を見れば、第二粒子が呈する第二の色を認識できる。
【００９２】
（１−３）第二画像形成時（第二フレーム期間（２ｎｄ  Ｆｒａｍｅ））の黒書き込み条件
第二強電界ＳＳＦが第二の方向（上向き）を向く条件を考える。第二強電界ＳＳＦは正でなければならず、数式２６にて表される。
【００９３】
【数２６】
2014157306.tif 000028
【００９４】
（１−３−１）第一弱電界ＦＷＦの方向（下向き）が第二の方向（上向き）の反対となる場合
第一弱電界ＦＷＦの向きが第一の方向であると、第二強電界ＳＳＦの向きと第一弱電界ＦＷＦの向きとが反対になり、第一粒子と第二粒子とが効率的に分離されるので、コントラスト比が高く、高品位な画像を表示する電気泳動表示装置１５０を実現できる。この場合、第一弱電界ＦＷＦは負でなければならず、数式２７にて表される。
【００９５】
【数２７】
2014157306.tif 000029
【００９６】
数式２６と数式２７とから設定パラメーターが満たさねばならない関係式として数式２８が得られる。
【００９７】
【数２８】
2014157306.tif 000030
【００９８】
又、第一弱電界ＦＷＦが第二強電界ＳＳＦよりも弱い条件は数式２９と表される。
【００９９】
【数２９】
2014157306.tif 000031
【０１００】
数式２９から設定パラメーターが満たさねばならない関係式として数式３０が得られる。
【０１０１】
【数３０】
2014157306.tif 000032
【０１０２】
数式２８と数式３０とから設定パラメーターが満たさねばならない関係式として数式３１が得られる。数式３１が、第一弱電界ＦＷＦの方向（下向き）が第二の方向（上向き）の反対となる場合での、第二粒子を共通電極２３の近傍に分布させる為の（黒表示を行う為の）必要条件となる。
【０１０３】
【数３１】
2014157306.tif 000033
【０１０４】
こうして、より負極性に強く帯電した第一粒子を画素電極２２近傍に分布させるか、或いは、第二粒子を共通電極２３近傍に分布させる事ができる。従って、使用者が共通電極２３側から電気泳動表示装置１５０を見れば、第二粒子が呈する第二の色を認識でき、画素電極２２側から電気泳動表示装置１５０を見れば、第一粒子が呈する第一の色を認識できる。
【０１０５】
（１−３−２）第一弱電界ＦＷＦの方向（上向き）が第二の方向（上向き）と同じとなる場合
第一弱電界ＦＷＦの向きが第二の方向であると、第二強電界ＳＳＦの向きと第一弱電界ＦＷＦの向きとが同じになり、第二粒子を共通電極２３の近傍に分布させる際に画素電極２２と共通電極２３との間に発生させる電界の時間平均値が大きくなる。この為に、比較的低電圧で電気泳動表示装置１５０を駆動しても、コントラスト比が高く、高品位な画像を表示する電気泳動表示装置１５０を実現できる。この場合、第一弱電界ＦＷＦは正でなければならず、数式３２にて表される。
【０１０６】
【数３２】
2014157306.tif 000034
【０１０７】
数式２６と数式３２とから設定パラメーターが満たさねばならない関係式として数式３３が得られる。
【０１０８】
【数３３】
2014157306.tif 000035
【０１０９】
又、第一弱電界ＦＷＦが第二強電界ＳＳＦよりも弱い条件は数式３４と表される。
【０１１０】
【数３４】
2014157306.tif 000036
【０１１１】
数式３４から設定パラメーターが満たさねばならない関係式として数式３５が得られる。
【０１１２】
【数３５】
2014157306.tif 000037
【０１１３】
数式３３と数式３５とから設定パラメーターが満たさねばならない関係式として数式３６が得られる。数式３６が、第一弱電界ＦＷＦの方向（上向き）が第二の方向（上向き）と同じとなる場合での、第二粒子を共通電極２３の近傍に分布させる為の（黒表示を行う為の）必要条件となる。
【０１１４】
【数３６】
2014157306.tif 000038
【０１１５】
こうして、より負極性に強く帯電した第一粒子を画素電極２２近傍に分布させるか、或いは、第二粒子を共通電極２３近傍に分布させる事ができる。従って、使用者が共通電極２３側から電気泳動表示装置１５０を見れば、第二粒子が呈する第二の色を認識でき、画素電極２２側から電気泳動表示装置１５０を見れば、第一粒子が呈する第一の色を認識できる。
【０１１６】
（１−４）白黒対称条件
白リセットと黒書き込みとが対称となる為には、第一強電界ＦＳＦの絶対値と第二強電界ＳＳＦの絶対値とが等しい事が求められ、数式３７と表される。
【０１１７】
【数３７】
2014157306.tif 000039
【０１１８】
数式３７は数式３８と整理される。
【０１１９】
【数３８】
2014157306.tif 000040
【０１２０】
更に、第二弱電界ＳＷＦの絶対値と第一弱電界ＦＷＦの絶対値とが等しい事が好ましいので、第二弱電界ＳＷＦの方向が第一の方向と反対となり、第一弱電界ＦＷＦの方向が第二の方向と反対になる場合には、数式１６と数式２７とから数式３９となる。
【０１２１】
【数３９】
2014157306.tif 000041
【０１２２】
数式３９は数式３８と同じなので、白黒対称条件は数式３８となる。同様に、第二弱電界ＳＷＦの方向が第一の方向と同じとなり、第一弱電界ＦＷＦの方向が第二の方向と同じになる場合には、数式２１と数式３２とから矢張り数式３８が得られる。数式３８が満たされると、第一色の表示と第二色の表示とを対称的に取り扱う事ができ、駆動方法が複雑にならぬばかりか、電気泳動材料２４の寿命も長く保て、容易な駆動で高品位の表示をなす電気泳動表示装置１５０の製品寿命を長く保つ事ができる。
【０１２３】
（１−５）第二画像形成時（第二フレーム期間（２ｎｄ  Ｆｒａｍｅ））に白維持画素の条件
第二画像形成時（第二フレーム期間（２ｎｄ  Ｆｒａｍｅ））に白画素を維持する為には、第五の電界（以降、分かり易くする為に、この電界を第一中電界ＦＭＦと称する）が第一の方向（下向き）を向き、負でなければならず、数式４０にて表される。
【０１２４】
【数４０】
2014157306.tif 000042
【０１２５】
（１−５−１）第二中電界ＳＭＦの方向（上向き）が第一の方向（下向き）の反対となる場合
この場合、第六の電界（以降、分かり易くする為に、この電界を第二中電界ＳＭＦ）は正でなければならず、数式４１にて表される。
【０１２６】
【数４１】
2014157306.tif 000043
【０１２７】
数式４０と数式４１とから設定パラメーターが満たさねばならない関係式として数式４２が得られる。
【０１２８】
【数４２】
2014157306.tif 000044
【０１２９】
又、第二中電界ＳＭＦが第一中電界ＦＭＦよりも弱い条件は数式４３と表される。
【０１３０】
【数４３】
2014157306.tif 000045
【０１３１】
数式４３から設定パラメーターが満たさねばならない関係式として数式４４が得られる。
【０１３２】
【数４４】
2014157306.tif 000046
【０１３３】
数式４２と数式４４とから設定パラメーターが満たさねばならない関係式として数式４５が得られる。数式４５が、第二フレーム期間（２ｎｄ  Ｆｒａｍｅ）に第二中電界ＳＭＦの方向（上向き）が第一の方向（下向き）の反対となる場合での、第一粒子を共通電極２３の近傍に維持させる為の（白表示を維持する為の）条件となる。
【０１３４】
【数４５】
2014157306.tif 000047
【０１３５】
こうして、より負極性に強く帯電した第一粒子を共通電極２３近傍に維持させると共に、第二粒子を画素電極２２近傍に維持させる事ができる。従って、第二フレーム期間（２ｎｄ  Ｆｒａｍｅ）中も、第一色を表示する画素２０では、使用者が共通電極２３側から電気泳動表示装置１５０を見れば、第一粒子が呈する第一の色を認識でき、画素電極２２側から電気泳動表示装置１５０を見れば、第二粒子が呈する第二の色を認識できる。
【０１３６】
（１−５−２）第二中電界ＳＭＦの方向（下向き）が第一の方向（下向き）の同じとなる場合
この場合、第二中電界ＳＭＦは負でなければならず、数式４６にて表される。
【０１３７】
【数４６】
2014157306.tif 000048
【０１３８】
数式４０と数式４６とから設定パラメーターが満たさねばならない関係式として数式４７が得られる。
【０１３９】
【数４７】
2014157306.tif 000049
【０１４０】
又、第二中電界ＳＭＦが第一中電界ＦＭＦよりも弱い条件は数式４８と表される。
【０１４１】
【数４８】
2014157306.tif 000050
【０１４２】
数式４８から設定パラメーターが満たさねばならない関係式として数式４９が得られる。
【０１４３】
【数４９】
2014157306.tif 000051
【０１４４】
数式４７と数式４９とから設定パラメーターが満たさねばならない関係式として数式５０が得られる。数式５０が、第二フレーム期間（２ｎｄ  Ｆｒａｍｅ）に第二中電界ＳＭＦの方向（下向き）が第一の方向（下向き）と同じとなる場合での、第一粒子を共通電極２３の近傍に維持させる為の（白表示を維持する為の）条件となる。
【０１４５】
【数５０】
2014157306.tif 000052
【０１４６】
こうして、より負極性に強く帯電した第一粒子を共通電極２３近傍に維持させると共に、第二粒子を画素電極２２近傍に維持させる事ができる。従って、第二フレーム期間（２ｎｄ  Ｆｒａｍｅ）中も、第一色を表示する画素２０では、使用者が共通電極２３側から電気泳動表示装置１５０を見れば、第一粒子が呈する第一の色を認識でき、画素電極２２側から電気泳動表示装置１５０を見れば、第二粒子が呈する第二の色を認識できる。
【０１４７】
（１−６）まとめ
結局、第一の方向（下向き）と第二弱電界ＳＷＦの方向（上向き）とが反対となる場合、白リセット条件となる数式２０と黒書き込み条件となる数式３１とが表示を行う為の必須条件となる。又、白黒対称条件となる数式３８が、電位対称から高耐久性を実現するのに満たした方が好ましい条件となる。更に、第二フレーム期間（２ｎｄ  Ｆｒａｍｅ）の白維持画素条件となる数式４５が、高い反射率の白表示をとするのに満たした方が好ましい条件となる。図５に示す様に、一例として、Ｌ1＝０Ｖ、Ｈ1＝８Ｖ、Ｍ1＝７Ｖ、Ｍ2＝１Ｖ、ＶA＝９Ｖ、とすると、数式１１から数式１４により、Ｌ2＝−２Ｖ、Ｈ2＝１６Ｖ、Ｌ3＝−８Ｖ、Ｈ3＝１０Ｖ、となり、数式２０と数式３１と数式３８と数式４５とを満たす。
【０１４８】
一方、第一の方向（下向き）と第二弱電界ＳＷＦの方向（下向き）とが同じとなる場合、白リセット条件となる数式２５と黒書き込み条件となる数式３６とが表示を行う為の必須条件となる。又、白黒対称条件となる数式３８が、電位対称から高耐久性を実現するのに満たした方が好ましい条件となる。第一の方向（下向き）と第二弱電界ＳＷＦの方向（下向き）とが同じで、第一の方向（下向き）と第二中電界ＳＭＦの方向（上向き）とが反対となる場合には、第二フレーム期間（２ｎｄ  Ｆｒａｍｅ）の白維持画素条件となる数式４５が、高い反射率の白表示をとするのに満たした方が好ましい条件となる。一例として、Ｌ1＝０Ｖ、Ｈ1＝８Ｖ、Ｍ1＝７Ｖ、Ｍ2＝１Ｖ、ＶA＝５Ｖ、とすると、数式１１から数式１４により、Ｌ2＝２Ｖ、Ｈ2＝１２Ｖ、Ｌ3＝−４Ｖ、Ｈ3＝６Ｖ、となり、数式２５と数式３６と数式３８と数式４５とを満たす。第一の方向（下向き）と第二弱電界ＳＷＦの方向（下向き）とが同じで、而も第一の方向（下向き）と第二中電界ＳＭＦの方向（下向き）とが同じとなる場合には、第二フレーム期間（２ｎｄ  Ｆｒａｍｅ）の白維持画素条件となる数式５０が、高い反射率の白表示をとするのに満たした方が好ましい条件となる。一例として、Ｌ1＝０Ｖ、Ｈ1＝８Ｖ、Ｍ1＝７Ｖ、Ｍ2＝１Ｖ、ＶA＝０．５Ｖ、とすると、数式１１から数式１４により、Ｌ2＝６．５Ｖ、Ｈ2＝７．５Ｖ、Ｌ3＝０．５Ｖ、Ｈ3＝１．５Ｖ、となり、数式２５と数式３６と数式３８と数式５０とを満たす。
【０１４９】
尚、第一画像形成時（第一フレーム期間（１ｓｔ  Ｆｒａｍｅ））の共通電極２３を基準にした画素電極２２への平均電界Ｅ1は数式５１となる。
【０１５０】
【数５１】
2014157306.tif 000053
【０１５１】
又、第二画像形成時（第二フレーム期間（２ｎｄ  Ｆｒａｍｅ））の白維持画素での共通電極２３を基準にした画素電極２２への平均電界Ｅ2Wは数式５２となる。
【０１５２】
【数５２】
2014157306.tif 000054
【０１５３】
更に、第二画像形成時（第二フレーム期間（２ｎｄ  Ｆｒａｍｅ））の黒画素での共通電極２３を基準にした画素電極２２への平均電界Ｅ2Bは数式５３となる。
【０１５４】
【数５３】
2014157306.tif 000055
【０１５５】
「電子機器」
次に、前述した電気泳動表示装置を適用した電子機器について、図６及び図７を参照して説明する。以下では、前述した電気泳動表示装置を電子ペーパー及び電子ノートに適用した場合を例にとる。
【０１５６】
図６は、電子ペーパーの構成を示す斜視図である。図６に示す様に、電子ペーパー４００は、本実施形態に係る電気泳動表示装置を表示部１０として備えている。電子ペーパー４００は可撓性を有し、従来の紙と同様の質感及び柔軟性を有する書き換え可能なシートからなる本体４０２を備えて構成されている。
【０１５７】
図７は、電子ノートの構成を示す斜視図である。図７に示す様に、電子ノート５００は、図６で示した電子ペーパー４００が複数枚束ねられ、カバー５０１に挟まれているものである。カバー５０１は、例えば外部の装置から送られる表示データを入力する為の表示データ入力手段（画像信号供給回路１３０）を備える。これにより、その表示データに応じて、電子ペーパーが束ねられた状態のまま、表示内容の変更や更新を行うことができる。
【０１５８】
前述した電子ペーパー４００及び電子ノート５００は、本実施形態に係る電気泳動表示装置を備えるので、高品質な画像表示を行うことが可能である。尚、これらの他に、腕時計や携帯電話、携帯用オーディオ機器などの電子機器の表示部に、本実施形態に係る電気泳動表示装置を適用することができる。
【０１５９】
以上述べたように、本実施形態に係る電子機器１００（駆動方法）によれば、以下の効果を得ることができる。
本実施形態の駆動方法によれば、コントラスト比が高く、フリッカーも生ぜぬ高品位画像を表示する事ができ、且つ電子機器１００の製品寿命を延ばす事ができる。又、高品位画像と長い製品寿命とが得られる制御回路１４０、電気泳動表示装置１５０、及び電子機器を提供する事ができる。
【０１６０】
尚、本実施形態では電気泳動表示装置１５０の一例として電気泳動粒子が液体に分散している電気泳動材料２４を用いたが、これ以外の電気泳動材料を用いた電気泳動表示装置１５０にも適用可能である。即ち、本実施形態は、画素電極２２と対向電極との間に電圧を印加して帯電した電気泳動粒子の分布状態を変える電気泳動表示装置１５０全般に適応する事ができる。具体的には帯電微粉末を気相で移動させる電気粉流表示装置などにも適応できる。
【０１６１】
（実施形態２）
「第一粒子が正に強く帯電している形態」
図８は、実施形態２に係わる電気泳動表示装置の駆動方法を説明する物である。以下、本実施形態に係わる電気泳動表示装置の駆動方法について説明する。尚、実施形態１と同一の構成部位については、同一の番号を附し、重複する説明は省略する。
【０１６２】
（２）第一粒子の方が第二粒子よりも正極性に帯電している場合
本実施形態（図８）は実施形態１（図５）と比べて、電気泳動粒子の帯電形態が異なっている。それ以外の構成は、実施形態１とほぼ同様である。実施形態１では、第一粒子が第二粒子よりも負極性に帯電していたが、本実施形態では、第一粒子が第二粒子よりも正極性に帯電している。この場合の電位関係を説明する。第一粒子の方が第二粒子よりも正極性に帯電しているとは、第一粒子が強く正極性に帯電すると共に第二粒子が弱く正極性に帯電する場合と、第一粒子が正極性に帯電すると共に第二粒子が中性である場合と、第一粒子が正極性に帯電すると共に第二粒子が負極性に帯電する場合と、第一粒子が中性であると共に第二粒子が負極性に帯電する場合と、第一粒子が弱く負極性に帯電すると共に第二粒子が強く負極性に帯電する場合と、の５つの場合のいずれかである事を意味する。本実施形態では、白色の第一粒子は正に帯電しており、黒色の第二粒子は負に帯電しており、使用者は共通電極２３側から表示を見るものとする。それ以外の構成は実施形態１と同様である。
【０１６３】
（２−０）設定パラメーター
第一画像形成時（第一フレーム期間（１ｓｔ  Ｆｒａｍｅ））に第一色（白）を表示する画素２０の画素電極２２に印加される低電位を第一低電位Ｌ1と称する。又、第二画像形成時（第二フレーム期間（２ｎｄ  Ｆｒａｍｅ））に第二色（黒）を表示する画素２０の画素電極２２に印加される高電位を第一高電位Ｈ1と称す。更に、第一画像形成時（第一フレーム期間（１ｓｔ  Ｆｒａｍｅ））における共通電位Ｖcomの中心値を第一中間電位Ｍ1と称する。同様に、第二画像形成時（第二フレーム期間（２ｎｄ  Ｆｒａｍｅ））における共通電位Ｖcomの中心値を第二中間電位Ｍ2と称する。共通電位Ｖcomの振幅の絶対値を振幅ＶAと称する。電気泳動表示装置１５０に正しく画像を表示する為に設定せねばならない電位は第一低電位Ｌ1と第一高電位Ｈ1と第一中間電位Ｍ1と第二中間電位Ｍ2と振幅ＶAの五つで、これらを設定パラメーターと称する。尚、本実施形態では、ＶHという電位がＶLという電位より高電位とは、ＶHがＶLよりも負の方向に大きい事を意味する。即ち、高電位とは負の方向に大きい値の電位を意味し、低電位とは正の方向に大きい値の電位を意味する。又、第一の方向を画素電極２２から共通電極２３を向いた方向（図８のＶpx（Ｗ）やＶpx（Ｂ）では上向き矢印で表示）とし、第一の方向とは反対の第二の方向を共通電極２３から画素電極２２を向いた方向（図８のＶpx（Ｗ）やＶpx（Ｂ）では下向き矢印で表示）としている。
【０１６４】
（２−１）定義式
第一画像形成時（第一フレーム期間（１ｓｔ  Ｆｒａｍｅ））に共通電位Ｖcomの最低値を第二低電位Ｌ2と称す。第二低電位Ｌ2は数式５４で表される。
【０１６５】
【数５４】
2014157306.tif 000056
【０１６６】
第一画像形成時（第一フレーム期間（１ｓｔ  Ｆｒａｍｅ））に共通電位Ｖcomの最高値を第二高電位Ｈ2と称す。第二高電位Ｈ2は数式５５で表される。
【０１６７】
【数５５】
2014157306.tif 000057
【０１６８】
第二画像形成時（第二フレーム期間（２ｎｄ  Ｆｒａｍｅ））に共通電位Ｖcomの最低値を第三低電位Ｌ3と称す。第三低電位Ｌ3は数式５６で表される。
【０１６９】
【数５６】
2014157306.tif 000058
【０１７０】
第二画像形成時（第二フレーム期間（２ｎｄ  Ｆｒａｍｅ））に共通電位Ｖcomの最高値を第三高電位Ｈ3と称す。第三高電位Ｈ3は数式５７で表される。
【０１７１】
【数５７】
2014157306.tif 000059
【０１７２】
（２−２）第一画像形成時（第一フレーム期間（１ｓｔ  Ｆｒａｍｅ））の白書き込み条件
まず、画素電極２２と共通電極２３との距離をｄとする。第一強電界ＦＳＦは第一の方向（上向き）を向き、第一強電界ＦＳＦの向きを正とすると、第一強電界ＦＳＦは、数式５８にて表される。
【０１７３】
【数５８】
2014157306.tif 000060
【０１７４】
（２−２−１）第二弱電界ＳＷＦの方向（下向き）が第一の方向（上向き）の反対となる場合
第二弱電界ＳＷＦの向きが第二の方向であると、第一強電界ＦＳＦの向きと第二弱電界ＳＷＦの向きとが反対になり、第一粒子と第二粒子とが効率的に分離されるので、コントラスト比が高く、高品位な画像を表示する電気泳動表示装置１５０を実現できる。この場合、第二弱電界ＳＷＦは負でなければならず、数式５９にて表される。
【０１７５】
【数５９】
2014157306.tif 000061
【０１７６】
数式５８と数式５９とから設定パラメーターが満たさねばならない関係式として数式６０が得られる。
【０１７７】
【数６０】
2014157306.tif 000062
【０１７８】
又、第二弱電界ＳＷＦが第一強電界ＦＳＦよりも弱い条件は数式６１と表される。
【０１７９】
【数６１】
2014157306.tif 000063
【０１８０】
数式６１から設定パラメーターが満たさねばならない関係式として数式６２が得られる。
【０１８１】
【数６２】
2014157306.tif 000064
【０１８２】
数式６０と数式６２とから設定パラメーターが満たさねばならない関係式として数式６３が得られる。数式６３が、第二弱電界ＳＷＦの方向（下向き）が第一の方向（上向き）の反対となる場合での、第一粒子を共通電極２３の近傍に分布させる為の（白表示を行う為の）必要条件となる。
【０１８３】
【数６３】
2014157306.tif 000065
【０１８４】
こうして、より正極性に強く帯電した第一粒子を共通電極２３近傍に分布させるか、或いは、第二粒子を画素電極２２近傍に分布させる事ができる。従って、使用者が共通電極２３側から電気泳動表示装置１５０を見れば、第一粒子が呈する第一の色を認識でき、画素電極２２側から電気泳動表示装置１５０を見れば、第二粒子が呈する第二の色を認識できる。
【０１８５】
（２−２−２）第二弱電界ＳＷＦの方向（上向き）が第一の方向（上向き）と同じとなる場合
第二弱電界ＳＷＦの向きが第一の方向であると、第一強電界ＦＳＦの向きと第二弱電界ＳＷＦの向きとが同じになり、第一粒子を共通電極２３の近傍に分布させる際に画素電極２２と共通電極２３との間に発生させる電界の時間平均値が大きくなる。この為に、比較的低電圧で電気泳動表示装置１５０を駆動しても、コントラスト比が高く、高品位な画像を表示する電気泳動表示装置１５０を実現できる。この場合、第二弱電界ＳＷＦは正でなければならず、数式６４にて表される。
【０１８６】
【数６４】
2014157306.tif 000066
【０１８７】
数式５８と数式６４とから設定パラメーターが満たさねばならない関係式として数式６５が得られる。
【０１８８】
【数６５】
2014157306.tif 000067
【０１８９】
又、第二弱電界ＳＷＦが第一強電界ＦＳＦよりも弱い条件は数式６６と表される。
【０１９０】
【数６６】
2014157306.tif 000068
【０１９１】
数式６６から設定パラメーターが満たさねばならない関係式として数式６７が得られる。
【０１９２】
【数６７】
2014157306.tif 000069
【０１９３】
振幅ＶAはその定義からして、必ず正であるので、数式６７はいつでも自動的に満たされる。数式６５と数式６７とから設定パラメーターが満たさねばならない関係式として数式６８が得られる。数式６８が、第二弱電界ＳＷＦの方向（上向き）が第一の方向（上向き）と同じとなる場合での、第一粒子を共通電極２３の近傍に分布させる為の（白表示を行う為の）必要条件となる。
【０１９４】
【数６８】
2014157306.tif 000070
【０１９５】
こうして、より正極性に強く帯電した第一粒子を共通電極２３近傍に分布させるか、或いは、第二粒子を画素電極２２近傍に分布させる事ができる。従って、使用者が共通電極２３側から電気泳動表示装置１５０を見れば、第一粒子が呈する第一の色を認識でき、画素電極２２側から電気泳動表示装置１５０を見れば、第二粒子が呈する第二の色を認識できる。
【０１９６】
（２−３）第二画像形成時（第二フレーム期間（２ｎｄ  Ｆｒａｍｅ））の黒書き込み条件
第二強電界ＳＳＦが第二の方向（下向き）を向く条件を考える。第二強電界ＳＳＦは負でなければならず、数式６９にて表される。
【０１９７】
【数６９】
2014157306.tif 000071
【０１９８】
（２−３−１）第一弱電界ＦＷＦの方向（上向き）が第二の方向（下向き）の反対となる場合
第一弱電界ＦＷＦの向きが第一の方向であると、第二強電界ＳＳＦの向きと第一弱電界ＦＷＦの向きとが反対になり、第一粒子と第二粒子とが効率的に分離されるので、コントラスト比が高く、高品位な画像を表示する電気泳動表示装置１５０を実現できる。この場合、第一弱電界ＦＷＦは正でなければならず、数式７０にて表される。
【０１９９】
【数７０】
2014157306.tif 000072
【０２００】
数式６９と数式７０とから設定パラメーターが満たさねばならない関係式として数式７１が得られる。
【０２０１】
【数７１】
2014157306.tif 000073
【０２０２】
又、第一弱電界ＦＷＦが第二強電界ＳＳＦよりも弱い条件は数式７２と表される。
【０２０３】
【数７２】
2014157306.tif 000074
【０２０４】
数式７２から設定パラメーターが満たさねばならない関係式として数式７３が得られる。
【０２０５】
【数７３】
2014157306.tif 000075
【０２０６】
数式７１と数式７３とから設定パラメーターが満たさねばならない関係式として数式７４が得られる。数式７４が、第一弱電界ＦＷＦの方向（上向き）が第二の方向（下向き）の反対となる場合での、第二粒子を共通電極２３の近傍に分布させる為の（黒表示を行う為の）必要条件となる。
【０２０７】
【数７４】
2014157306.tif 000076
【０２０８】
こうして、より正極性に強く帯電した第一粒子を画素電極２２近傍に分布させるか、或いは、第二粒子を共通電極２３近傍に分布させる事ができる。従って、使用者が共通電極２３側から電気泳動表示装置１５０を見れば、第二粒子が呈する第二の色を認識でき、画素電極２２側から電気泳動表示装置１５０を見れば、第一粒子が呈する第一の色を認識できる。
【０２０９】
（２−３−２）第一弱電界ＦＷＦの方向（下向き）が第二の方向（下向き）の同じとなる場合
第一弱電界ＦＷＦの向きが第二の方向であると、第二強電界ＳＳＦの向きと第一弱電界ＦＷＦの向きとが同じになり、第二粒子を共通電極２３の近傍に分布させる際に画素電極２２と共通電極２３との間に発生させる電界の時間平均値が大きくなる。この為に、比較的低電圧で電気泳動表示装置１５０を駆動しても、コントラスト比が高く、高品位な画像を表示する電気泳動表示装置１５０を実現できる。この場合、第一弱電界ＦＷＦは負でなければならず、数式７５にて表される。
【０２１０】
【数７５】
2014157306.tif 000077
【０２１１】
数式６９と数式７５とから設定パラメーターが満たさねばならない関係式として数式７６が得られる。
【０２１２】
【数７６】
2014157306.tif 000078
【０２１３】
又、第一弱電界ＦＷＦが第二強電界ＳＳＦよりも弱い条件は数式７７と表される。
【０２１４】
【数７７】
2014157306.tif 000079
【０２１５】
数式７７から設定パラメーターが満たさねばならない関係式として数式７８が得られる。
【０２１６】
【数７８】
2014157306.tif 000080
【０２１７】
数式７６と数式７８とから設定パラメーターが満たさねばならない関係式として数式７９が得られる。数式７９が、第一弱電界ＦＷＦの方向（下向き）が第二の方向（下向き）の同じとなる場合での、第二粒子を共通電極２３の近傍に分布させる為の（黒表示を行う為の）必要条件となる。
【０２１８】
【数７９】
2014157306.tif 000081
【０２１９】
こうして、より正極性に強く帯電した第一粒子を画素電極２２近傍に分布させるか、或いは、第二粒子を共通電極２３近傍に分布させる事ができる。従って、使用者が共通電極２３側から電気泳動表示装置１５０を見れば、第二粒子が呈する第二の色を認識でき、画素電極２２側から電気泳動表示装置１５０を見れば、第一粒子が呈する第一の色を認識できる。
【０２２０】
（２−４）白黒対称条件
白リセットと黒書き込みとが対称となる為には、第一強電界ＦＳＦの絶対値と第二強電界ＳＳＦの絶対値とが等しい事が求められ、数式８０と表される。
【０２２１】
【数８０】
2014157306.tif 000082
【０２２２】
数式８０は数式８１と整理される。
【０２２３】
【数８１】
2014157306.tif 000083
【０２２４】
更に、第二弱電界ＳＷＦの絶対値と第一弱電界ＦＷＦの絶対値とが等しい事が好ましいので、第二弱電界ＳＷＦの方向が第一の方向と反対となり、第一弱電界ＦＷＦの方向が第一の方向と同じになる場合には、数式５９と数式７０とから数式８２となる。
【０２２５】
【数８２】
2014157306.tif 000084
【０２２６】
数式８２は数式８１と同じなので、白黒対称条件は数式８１となる。同様に、第二弱電界ＳＷＦの方向が第一の方向と同じで、第一弱電界ＦＷＦの方向が第二の方向と同じ場合には、数式６４と数式７５とから矢張り数式８１が得られる。数式８２が満たされると、第一色の表示と第二色の表示とを対称的に取り扱う事ができ、駆動方法が複雑にならぬばかりか、電気泳動材料２４の寿命も長く保て、容易な駆動で高品位の表示をなす電気泳動表示装置１５０の製品寿命を長く保つ事ができる。
【０２２７】
（２−５）第二画像形成時（第二フレーム期間（２ｎｄ  Ｆｒａｍｅ））に白維持画素の条件
第二画像形成時（第二フレーム期間（２ｎｄ  Ｆｒａｍｅ））に白画素を維持する為には、第一中電界ＦＭＦが第一の方向（上向き）を向き、正でなければならず、数式８３にて表される。
【０２２８】
【数８３】
2014157306.tif 000085
【０２２９】
（２−５−１）第二中電界ＳＭＦの方向（下向き）が第一の方向（上向き）の反対となる場合
この場合、第二中電界ＳＭＦは負でなければならず、数式８４にて表される。
【０２３０】
【数８４】
2014157306.tif 000086
【０２３１】
数式８３と数式８４とから設定パラメーターが満たさねばならない関係式として数式８５が得られる。
【０２３２】
【数８５】
2014157306.tif 000087
【０２３３】
又、第二中電界ＳＭＦが第一中電界ＦＭＦよりも弱い条件は数式８６と表される。
【０２３４】
【数８６】
2014157306.tif 000088
【０２３５】
数式８６から設定パラメーターが満たさねばならない関係式として数式８７が得られる。
【０２３６】
【数８７】
2014157306.tif 000089
【０２３７】
数式８５と数式８７とから設定パラメーターが満たさねばならない関係式として数式８８が得られる。数式８８が、第二フレーム期間（２ｎｄ  Ｆｒａｍｅ）に第二中電界ＳＭＦの方向（下向き）が第一の方向（上向き）の反対となる場合での、第一粒子を共通電極２３の近傍に維持させる為の（白表示を維持する為の）条件となる。
【０２３８】
【数８８】
2014157306.tif 000090
【０２３９】
こうして、より正極性に強く帯電した第一粒子を共通電極２３近傍に維持させると共に、第二粒子を画素電極２２近傍に維持させる事ができる。従って、第二フレーム期間（２ｎｄ  Ｆｒａｍｅ）中も、第一色を表示する画素２０では、使用者が共通電極２３側から電気泳動表示装置１５０を見れば、第一粒子が呈する第一の色を認識でき、画素電極２２側から電気泳動表示装置１５０を見れば、第二粒子が呈する第二の色を認識できる。
【０２４０】
（２−５−２）第二中電界ＳＭＦの方向（上向き）が第一の方向（上向き）の同じとなる場合
この場合、第二中電界ＳＭＦは正でなければならず、数式８９にて表される。
【０２４１】
【数８９】
2014157306.tif 000091
【０２４２】
数式８３と数式８９とから設定パラメーターが満たさねばならない関係式として数式９０が得られる。
【０２４３】
【数９０】
2014157306.tif 000092
【０２４４】
又、第二中電界ＳＭＦが第一中電界ＦＭＦよりも弱い条件は数式９１と表される。
【０２４５】
【数９１】
2014157306.tif 000093
【０２４６】
数式９１から設定パラメーターが満たさねばならない関係式として数式９２が得られる。
【０２４７】
【数９２】
2014157306.tif 000094
【０２４８】
数式９０と数式９２とから設定パラメーターが満たさねばならない関係式として数式９３が得られる。数式９３が、第二フレーム期間（２ｎｄ  Ｆｒａｍｅ）に第二中電界ＳＭＦの方向（上向き）が第一の方向（上向き）と同じとなる場合での、第一粒子を共通電極２３の近傍に維持させる為の（白表示を維持する為の）条件となる。
【０２４９】
【数９３】
2014157306.tif 000095
【０２５０】
こうして、より正極性に強く帯電した第一粒子を共通電極２３近傍に維持させると共に、第二粒子を画素電極２２近傍に維持させる事ができる。従って、第二フレーム期間（２ｎｄ  Ｆｒａｍｅ）中も、第一色を表示する画素２０では、使用者が共通電極２３側から電気泳動表示装置１５０を見れば、第一粒子が呈する第一の色を認識でき、画素電極２２側から電気泳動表示装置１５０を見れば、第二粒子が呈する第二の色を認識できる。
【０２５１】
（２−６）まとめ
結局、第一の方向（上向き）と第二弱電界ＳＷＦの方向（下向き）とが反対となる場合、白リセット条件となる数式６３と黒書き込み条件となる数式７４とが表示を行う為の必須条件となる。又、白黒対称条件となる数式８１が、電位対称から高耐久性を実現するのに満たした方が好ましい条件となる。更に、第二フレーム期間（２ｎｄ  Ｆｒａｍｅ）の白維持画素条件となる数式８８が、高い反射率の白表示をとするのに満たした方が好ましい条件となる。図８に示す様に、一例として、Ｌ1＝０Ｖ、Ｈ1＝−８Ｖ、Ｍ1＝−７Ｖ、Ｍ2＝−１Ｖ、ＶA＝９Ｖ、とすると、数式５４から数式５７により、Ｌ2＝＋２Ｖ、Ｈ2＝−１６Ｖ、Ｌ3＝＋８Ｖ、Ｈ3＝−１０Ｖ、となり、数式６３と数式７４と数式８１と数式８８とを満たす。
【０２５２】
一方、第一の方向（上向き）と第二弱電界ＳＷＦの方向（上向き）とが同じとなる場合、白リセット条件となる数式６８と黒書き込み条件となる数式７９とが表示を行う為の必須条件となる。又、白黒対称条件となる数式８１が、電位対称から高耐久性を実現するのに満たした方が好ましい条件となる。第一の方向（上向き）と第二弱電界ＳＷＦの方向（上向き）とが同じで、第一の方向（上向き）と第二中電界ＳＭＦの方向（下向き）とが反対となる場合には、第二フレーム期間（２ｎｄ  Ｆｒａｍｅ）の白維持画素条件となる数式８８が、高い反射率の白表示をとするのに満たした方が好ましい条件となる。一例として、Ｌ1＝０Ｖ、Ｈ1＝−８Ｖ、Ｍ1＝−７Ｖ、Ｍ2＝−１Ｖ、ＶA＝５Ｖ、とすると、数式５４から数式５７により、Ｌ2＝−２Ｖ、Ｈ2＝−１２Ｖ、Ｌ3＝＋４Ｖ、Ｈ3＝−６Ｖ、となり、数式６８と数式７９と数式８１と数式８８とを満たす。第一の方向（上向き）と第二弱電界ＳＷＦの方向（上向き）とが同じで、而も第一の方向（上向き）と第二中電界ＳＭＦの方向（上向き）とが同じとなる場合には、第二フレーム期間（２ｎｄ  Ｆｒａｍｅ）の白維持画素条件となる数式９３が、高い反射率の白表示をとするのに満たした方が好ましい条件となる。一例として、Ｌ1＝０Ｖ、Ｈ1＝−８Ｖ、Ｍ1＝−７Ｖ、Ｍ2＝−１Ｖ、ＶA＝０．５Ｖ、とすると、数式５４から数式５７により、Ｌ2＝−６．５Ｖ、Ｈ2＝−７．５Ｖ、Ｌ3＝−０．５Ｖ、Ｈ3＝−１．５Ｖ、となり、数式６８と数式７９と数式９１と数式９３とを満たす。
【０２５３】
（実施形態３）
「一画像表示駆動で第一粒子が負に強く帯電している形態」
図９は、実施形態３に係わる電気泳動表示装置の駆動方法を説明する物である。以下、本実施形態に係わる電気泳動表示装置の駆動方法について説明する。尚、実施形態１と同一の構成部位については、同一の番号を附し、重複する説明は省略する。
【０２５４】
本実施形態（図９）は実施形態１（図５）と比べて、一画像表示駆動を行っている点が異なっている。それ以外の構成は、実施形態１とほぼ同様である。実施形態１では、第一フレーム期間（１ｓｔ  Ｆｒａｍｅ）で表示部１０の全面を第一色とし、第二フレーム期間（２ｎｄ  Ｆｒａｍｅ）で第二色を表示する画素２０を第二色に書き換える駆動方法であった。これに対して、本実施形態では、一つのフレーム期間で（一つの画像表示で）画素２０毎に第一色又は第二色、更にはこれらの中間階調色を表示する駆動方法に付いて説明する。この駆動方法を一画像表示駆動と称する。
【０２５５】
図９に示す様に、一画像表示駆動とは、実施形態１の第一中間電位Ｍ1と第二中間電位Ｍ2とを等しくし（Ｍ1＝Ｍ2、従って以降、第一中間電位Ｍ1を用いて説明する）、第一中間電位Ｍ1の値を第一低電位Ｌ1と第一高電位Ｈ1との中間とする駆動方法である。第一色表示と第二色表示との対称性を取る為に、第一中間電位Ｍ1の値は第一低電位Ｌ1と第一高電位Ｈ1との平均値（中間値）とするのが好ましい。即ち、使用者が共通電極２３側から電気泳動表示装置１５０を見るとして、第一色表示を行う画素２０（図９のＶpx（Ｗ））には第一低電位Ｌ1を供給し、第二色表示を行う画素２０（図９のＶpx（Ｂ））には第一高電位Ｈ1を供給し、共通電位Ｖcomは第一中間電位Ｍ1の回りに振幅ＶAで交番電位とする。この際に、フレーム周期ＴFや共通電位周期ＴCは実施形態１と同じである。第一中間電位Ｍ1は第一低電位Ｌ1と第一高電位Ｈ1との平均値（中間値）とされる。
【０２５６】
こうした上で、第一の方向（下向き）と第二弱電界ＳＷＦの方向（上向き）とが反対となる場合には、白書き込み条件となる数式２０と、黒書き込み条件となる数式３１でＭ1＝Ｍ2とした式と、が表示を行う為の必須条件となる。又、Ｍ1＝Ｍ2とした白黒対称条件の数式３８が、電位対称から高耐久性を実現するのに満たした方が好ましい条件で、第一中間電位Ｍ1を定める式となる。図９に示す様に、一例として、Ｌ1＝０Ｖ、Ｈ1＝１４Ｖ、ＶA＝９Ｖ、とすると、数式３８からＭ1＝７Ｖとなり、数式１１から数式１４により、Ｌ2（＝Ｌ3）＝−２Ｖ、Ｈ2（＝Ｈ3）＝１６Ｖ、となり、数式２０と数式３１とが満たされる。
【０２５７】
一方、第一の方向（下向き）と第二弱電界ＳＷＦの方向（下向き）とが同じとなる場合、白書き込み条件となる数式２５と、黒書き込み条件となる数式３６でＭ1＝Ｍ2とした式と、が表示を行う為の必須条件となる。又、Ｍ1＝Ｍ2とした白黒対称条件となる数式３８が、電位対称から高耐久性を実現するのに満たした方が好ましい条件で、第一中間電位Ｍ1を定める式となる。一例として、Ｌ1＝０Ｖ、Ｈ1＝１４Ｖ、ＶA＝５Ｖ、とすると、数式３８からＭ1＝７Ｖとなり、数式１１から数式１４により、Ｌ2（＝Ｌ3）＝２Ｖ、Ｈ2（＝Ｈ3）＝１２Ｖ、となり、数式２５と数式３６とが満たされる。
【０２５８】
この様にして、一画像表示駆動でも実施形態１と同じ効果が得られる。尚、一画像表示駆動を応用すると、表示されている画像を書き換える際、画像が部分的にしか変化しない場合には、変化する部分に対応する画像を部分的に書き換える駆動方法も採用できる。この場合には、第一の画像と第二の画像とで同じ表示をする画素２０には、第一中間電位Ｍ1を供給する。
【０２５９】
（実施形態４）
「一画像表示駆動で第一粒子が正に強く帯電している形態」
図１０は、実施形態４に係わる電気泳動表示装置の駆動方法を説明する物である。以下、本実施形態に係わる電気泳動表示装置の駆動方法について説明する。尚、実施形態２と同一の構成部位については、同一の番号を附し、重複する説明は省略する。
【０２６０】
本実施形態（図１０）は実施形態２（図８）と比べて、一画像表示駆動を行っている点が異なっている。それ以外の構成は、実施形態２とほぼ同様である。実施形態２では、第一フレーム期間（１ｓｔ  Ｆｒａｍｅ）で表示部１０の全面を第一色とし、第二フレーム期間（２ｎｄ  Ｆｒａｍｅ）で第二色を表示する画素２０を第二色に書き換える駆動方法であった。これに対して、本実施形態では、一つのフレーム期間で（一つの画像表示で）画素２０毎に第一色又は第二色、更にはこれらの中間階調色を表示する一画像表示駆動に付いて説明する。
【０２６１】
図１０に示す様に、一画像表示駆動とは、実施形態２の第一中間電位Ｍ1と第二中間電位Ｍ2とを等しくし（Ｍ1＝Ｍ2、従って以降、第一中間電位Ｍ1を用いて説明する）、第一中間電位Ｍ1の値を第一低電位Ｌ1と第一高電位Ｈ1との中間とする駆動方法である。第一色表示と第二色表示との対称性を取る為に、第一中間電位Ｍ1の値は第一低電位Ｌ1と第一高電位Ｈ1との平均値（中間値）とするのが好ましい。即ち、使用者が共通電極２３側から電気泳動表示装置１５０を見るとして、第一色表示を行う画素２０（図１０のＶpx（Ｗ））には第一低電位Ｌ1を供給し、第二色表示を行う画素２０（図１０のＶpx（Ｂ））には第一高電位Ｈ1を供給し、共通電位Ｖcomは第一中間電位Ｍ1の回りに振幅ＶAで交番電位とする。この際に、フレーム周期ＴFや共通電位周期ＴCは実施形態２と同じである。第一中間電位Ｍ1は第一低電位Ｌ1と第一高電位Ｈ1との平均値（中間値）とされる。
【０２６２】
こうした上で、第一の方向（上向き）と第二弱電界ＳＷＦの方向（下向き）とが反対となる場合には、白書き込み条件となる数式６３と、黒書き込み条件となる数式７４でＭ1＝Ｍ2とした式と、が表示を行う為の必須条件となる。又、Ｍ1＝Ｍ2とした白黒対称条件の数式８１が、電位対称から高耐久性を実現するのに満たした方が好ましい条件で、第一中間電位Ｍ1を定める式となる。図１０に示す様に、一例として、Ｌ1＝０Ｖ、Ｈ1＝−１４Ｖ、ＶA＝９Ｖ、とすると、数式８１からＭ1＝−７Ｖとなり、数式５４から数式５７により、Ｌ2（＝Ｌ3）＝＋２Ｖ、Ｈ2（＝Ｈ3）＝−１６Ｖ、となり、数式６３と数式７４とが満たされる。
【０２６３】
一方、第一の方向（上向き）と第二弱電界ＳＷＦの方向（上向き）とが同じとなる場合、白書き込み条件となる数式６８と、黒書き込み条件となる数式７９でＭ1＝Ｍ2とした式と、が表示を行う為の必須条件となる。又、Ｍ1＝Ｍ2とした白黒対称条件となる数式８１が、電位対称から高耐久性を実現するのに満たした方が好ましい条件で、第一中間電位Ｍ1を定める式となる。一例として、Ｌ1＝０Ｖ、Ｈ1＝−１４Ｖ、ＶA＝５Ｖ、とすると、数式８１からＭ1＝−７Ｖとなり、数式５４から数式５７により、Ｌ2（＝Ｌ3）＝−２Ｖ、Ｈ2（＝Ｈ3）＝−１２Ｖ、となり、数式６８と数式７９とが満たされる。
【０２６４】
この様にして、一画像表示駆動でも実施形態２と同じ効果が得られる。
【０２６５】
尚、本発明は上述した実施形態に限定されず、上述した実施形態に種々の変更や改良などを加えることが可能である。変形例を以下に述べる。
【０２６６】
（変形例１）
「共通電位が正弦波の形態１」
図１１は、変形例１に係わる電気泳動表示装置の駆動方法を説明する物である。以下、本変形例に係わる電気泳動表示装置の駆動方法と制御回路とについて説明する。尚、実施形態１乃至２と同一の構成部位については、同一の番号を附し、重複する説明は省略する。
【０２６７】
本変形例（図１１）は実施形態１（図５）と比べて、共通電位Ｖcomの波形が異なっている。それ以外の構成は、実施形態１及び実施形態２とほぼ同様である。実施形態１（図５）や実施形態２（図８）では、共通電位Ｖcomは矩形波の交番電位であったが、共通電位Ｖcomの波形はこれに限られない。例えば、図１１に示す様に、正弦波であっても構わない。
【０２６８】
（変形例２）
「共通電位が正弦波の形態２」
図１２は、変形例２に係わる電気泳動表示装置の駆動方法を説明する物である。以下、本変形例に係わる電気泳動表示装置の駆動方法と制御回路とについて説明する。尚、実施形態３乃至４と同一の構成部位については、同一の番号を附し、重複する説明は省略する。
【０２６９】
本変形例（図１２）は実施形態３（図９）と比べて、共通電位Ｖcomの波形が異なっている。それ以外の構成は、実施形態３及び実施形態４とほぼ同様である。実施形態３（図９）や実施形態４（図１０）では、共通電位Ｖcomは矩形波の交番電位であったが、共通電位Ｖcomの波形はこれに限られない。例えば、図１２に示す様に、正弦波であっても構わない。
【０２７０】
（変形例３）
「共通電位が他の波形である形態」
実施形態１乃至４では、交番電界は矩形波であり、変形例１乃至２では、交番電界は正弦波であった。交番電界の波形はこれらに限られる事なく、様々な形態が可能である。例えば、交番電界は、台形波や三角波、のこぎり波、等であっても構わない。これらの交番電界を形成するには、共通電位Ｖcomは台形波や三角波、のこぎり波、の交番電位とされる。
【符号の説明】
【０２７１】
ＦＭＦ…第一中電界、ＦＳＦ…第一強電界、ＦＷＦ…第一弱電界、ＳＭＦ…第二中電界、ＳＳＦ…第二強電界、ＳＷＦ…第二弱電界、１０…表示部、２０…画素、２１…画素スイッチング用トランジスター、２２…画素電極、２３…共通電極、２４…電気泳動材料、２５…蓄積容量素子、３０…走査線、４０…データ線、５０…共通電位線、５５…固定電位線、６０…制御部、７０…駆動回路、７１…コントローラー、７２…走査線駆動回路、７３…データ線駆動回路、７４…共通電位供給回路、８０…画像信号処理部、９０…記憶部、１００…電子機器、１１０…フレームメモリー、１２０…操作部、１３０…画像信号供給回路、１４０…制御回路、１５０…電気泳動表示装置、２５１…第一電極、２５２…第二電極。
【図１】
2014157306.tif 000104
【図２】
2014157306.tif 000105
【図３】
2014157306.tif 000106
【図４】
2014157306.tif 000107
【図５】
2014157306.tif 000108
【図６】
2014157306.tif 000109
【図７】
2014157306.tif 000110
【図８】
2014157306.tif 000111
【図９】
2014157306.tif 000112
【図１０】
2014157306.tif 000113
【図１１】
2014157306.tif 000114
【図１２】
2014157306.tif 000115